(57)【要約】  ワイヤレス通信ネットワークにおける狭帯域通信のためのさまざまな技術が提供される。狭帯域通信は、広帯域通信のために使用される複数のリソースブロック（ＲＢ）のシングルＲＢを使用して送信され得る。狭帯域通信を使用して有効なデバイスディスカバリおよび同期化を提供するために、同期化信号、例えば、プライマリ同期化信号（ＰＳＳ）またはセカンダリ同期化信号（ＳＳＳ）は、シングルリソースブロック内で送信され得る。同期化信号は、例えば、シングルＲＢ内の複数の直交周波数分割多重（ＯＦＤＭ）シンボルを使用して、送信され得る。共通基準信号（ＣＲＳ）はまた、シングルリソースブロック中に存在し得、それは、いくつかの例では、同期化信号をパンクチャし得る。他の例では、同期化信号は、シングルリソースブロックの非ＣＲＳシンボルにマッピングされ得る。【選択図】図４
2018532298.tif 000002
【特許請求の範囲】
【請求項１】
システム帯域幅の狭帯域領域における動作をサポートするシステムにおけるワイヤレス通信のための方法であって、
前記システム帯域幅の広帯域領域内のシングルリソースブロックとして前記システム帯域幅の前記狭帯域領域の位置を識別することと、
前記システム帯域幅の前記広帯域領域内の前記シングルリソースブロックの前記位置のインジケーションを送信することと、を備える、方法。
【請求項２】
前記インジケーションは、前記システム帯域幅の全広帯域帯域幅と、前記シングルリソースブロックの位置を示すリソースブロックインデックスとを備える、請求項１に記載の方法。
【請求項３】
前記インジケーションは、前記シングルリソースブロックに含まれる１つまたは複数の共通基準信号（ＣＲＳ）リソースエレメント（ＲＥ）またはリソースブロックオフセットを備える、請求項１に記載の方法。
【請求項４】
前記インジケーションは、マスター情報ブロック（ＭＩＢ）またはシステム情報ブロック（ＳＩＢ）のうちの１つまたは複数において送信される、請求項１に記載の方法。
【請求項５】
ビットの第１のセットを取得するために前記狭帯域領域において物理ブロードキャストチャネル（ＰＢＣＨ）を復号することと、
ビットの第２のセットを取得するためにシーケンスによってビットの前記第１のセットの少なくとも一部をデスクランブル（descramble）することと、
ビットの前記第２のセットにＣＲＣチェックを実施することと、
前記ＣＲＣチェックの結果に基づいて展開タイプ（deployment type）およびＣＲＳアンテナポートの数を決定することと、をさらに備える、請求項１に記載の方法。
【請求項６】
前記狭帯域領域においてデバイスディスカバリに関わるシステム情報の送信のための物理ブロードキャストチャネル（ＰＢＣＨ）信号を生成することと、
復調基準信号（ＤＭＲＳ）に少なくとも部分的に基づいて前記ＰＢＣＨ信号を変調することと、
前記狭帯域領域において前記変調されたＰＢＣＨ信号を送信することと、をさらに備える請求項１に記載の方法。
【請求項７】
前記ＰＢＣＨ信号を前記変調することは、
前記変調されたＰＢＣＨ信号の送信のためのプリコーディングマトリックスを選択することと、
前記システム帯域幅における前記狭帯域領域において他の送信のための前記選択されたプリコーディングマトリックスを使用することと、を備える、請求項６に記載の方法。
【請求項８】
前記システム帯域幅の前記狭帯域領域における前記変調されたＰＢＣＨ信号、または他の送信のうちの１つまたは複数において共通基準信号（ＣＲＳ）を送信することをさらに備え、チャネル推定における使用のための前記ＣＲＳは、１つまたは複数の受信機である、請求項６に記載の方法。
【請求項９】
前記ＰＢＣＨ信号は、前記狭帯域領域において送信されるリソースブロックに含まれ、前記方法は、
マルチメディアブロードキャストシングル周波数ネットワーク（ＭＢＳＦＮ）サブフレームとして前記リソースブロックを含むサブフレームを識別することと、
前記ＭＢＳＦＮサブフレームにおいて前記ＰＢＣＨ信号を送信することと、をさらに備える、請求項６に記載の方法。
【請求項１０】
システム帯域幅の狭帯域領域における動作をサポートするシステムにおけるワイヤレス通信のための方法は、
デバイスディスカバリのための同期化信号を生成することと、前記同期化信号は、シングルリソースブロック内の２つ以上の直交周波数分割多重化（ＯＦＤＭ）シンボルを備える、
前記狭帯域領域において前記同期化信号を送信することと、を備える、方法。
【請求項１１】
前記同期化信号は、プライマリ同期化信号（ＰＳＳ）またはセカンダリ同期化信号（ＳＳＳ）のうちの１つまたは複数を備える、請求項１０に記載の方法。
【請求項１２】
前記同期化信号は、連続的なＯＦＤＭシンボルのセットにおいて送信され、前記方法は、
連続的なＯＦＤＭシンボルの前記セットをパンクチャする１つまたは複数のリソースエレメント（ＲＥ）を使用して共通基準信号（ＣＲＳ）を送信することをさらに備える、請求項１０に記載の方法。
【請求項１３】
１つまたは複数の共通基準信号（ＣＲＳ）リソースエレメント（ＲＥ）を含むＣＲＳ ＯＦＤＭシンボルとして前記シングルリソースブロック内の１つまたは複数のＯＦＤＭシンボルを識別することと、
非ＣＲＳ ＯＦＤＭシンボルに前記同期化信号を含む前記ＯＦＤＭシンボルをマッピングすることと、をさらに備える、請求項１０に記載の方法。
【請求項１４】
前記狭帯域領域における前記同期化信号の前記送信は、マルチメディアブロードキャストシングル周波数ネットワーク（ＭＢＳＦＮ）サブフレームとして事前に構成されるサブフレームにおいて前記同期化信号を送信することを備える、請求項１０に記載の方法。
【請求項１５】
マルチメディアブロードキャストシングル周波数ネットワーク（ＭＢＳＦＮ）サブフレームとして前記同期化信号を含むサブフレームを構成することをさらに備える、請求項１０に記載の方法。
【請求項１６】
前記狭帯域領域が１つまたは複数の広帯域送信の帯域幅内にあるかどうかを識別することと、
前記狭帯域領域が１つまたは複数の広帯域送信の前記帯域幅内にあるかどうかを１つまたは複数の受信機に示すことと、をさらに備える、請求項１０に記載の方法。
【請求項１７】
前記狭帯域領域が１つまたは複数の広帯域送信の前記帯域幅内にあるかどうかを１つまたは複数の受信機に前記示すことは、
前記狭帯域領域が１つまたは複数の広帯域送信の前記帯域幅内にあるかどうかに少なくとも部分的に基づいて送信のための前記シングルリソースブロック内のＯＦＤＭシンボルを選択することと、
前記選択されたＯＦＤＭシンボルを使用して前記同期化信号を送信することと、を備える、請求項１６に記載の方法。
【請求項１８】
前記同期化信号を前記生成することは、
前記シングルリソースブロックにおける複数のＯＦＤＭシンボルに少なくとも部分的に基づいて時間ドメインまたは周波数ドメインにおいてシーケンスを生成することと、
第１のシーケンスのサンプルのセットに少なくとも部分的に基づいて前記第１のシーケンスの補間時間ドメインバージョンを生成することと、
１つのＯＦＤＭシンボルの持続時間を各々有する複数の部分に前記補間時間ドメインバージョンを分割することと、
関連付けられたＯＦＤＭシンボルに関連付けられたサイクリックプレフィクスに対応する各部分のためのサンプルのサブセットを識別することと、
各部分に対してサンプルの前記識別されたサブセットを除去することと、
各部分にサイクリックプレフィクスをインサートすることと、を備える、請求項１０に記載の方法。
【請求項１９】
前記同期化信号を生成することは、
ＯＦＤＭサブキャリアのサブセットのみが同期化シーケンスを搬送するように前記周波数ドメインにおいて各ＯＦＤＭシンボルをウィンドウイングすることをさらに備える、請求項１８に記載の方法。
【請求項２０】
システム帯域幅の狭帯域領域における動作をサポートするシステムにおけるワイヤレス通信のための方法は、
狭帯域送信のためのシングルリソースブロックの位置のインジケーションを受信することと、前記シングルリソースブロックは前記システム帯域幅の広帯域領域内にある、
前記インジケーションに少なくとも部分的に基づいて前記狭帯域送信を受信するための１つまたは複数の同期化パラメータを識別することと、を備える、方法。
【請求項２１】
前記１つまたは複数の同期化パラメータを前記識別することは、
前記インジケーションに含まれるリソースブロックオフセット値および送信機のセル識別に少なくとも部分的に基づいて共通基準信号（ＣＲＳ）シーケンスを生成することを備える、請求項２０に記載の方法。
【請求項２２】
前記インジケーションは、前記システム帯域幅の全広帯域帯域幅と、前記シングルリソースブロックの位置を示すリソースブロックインデックスとを備える、請求項２０に記載の方法。
【請求項２３】
システム帯域幅の狭帯域領域における動作をサポートするシステムにおけるワイヤレス通信のための方法は、
デバイスディスカバリに関わるシステム情報を含む物理ブロードキャストチャネル（ＰＢＣＨ）の送信のための前記システム帯域幅の前記狭帯域領域の周波数帯域を識別することと、
前記狭帯域領域の前記識別された周波数帯域に少なくとも部分的に基づいて前記ＰＢＣＨを復号するための復号技術を選択することと、を備える、方法。
【請求項２４】
前記狭帯域領域が１つまたは複数の広帯域送信の帯域幅内にあるかどうかを、前記識別された周波数帯域に少なくとも部分的に基づいて、決定することをさらに備える、請求項２３に記載の方法。
【請求項２５】
前記狭帯域領域が１つまたは複数の広帯域送信の前記帯域幅内にあるかどうかを前記決定することは、前記識別された周波数帯域に関連付けられた無線アクセス技術に少なくとも部分的に基づく、請求項２４に記載の方法。
【請求項２６】
前記狭帯域領域が１つまたは複数の広帯域送信の前記帯域幅内にあるかどうかを前記決定することは、
前記識別された周波数帯域がグローバルシステムフォーモバイル（ＧＳＭ）通信に割り当てられた無線スペクトルにおいて位置を特定されることに応答して、前記狭帯域領域が、１つまたは複数の広帯域送信の前記帯域幅の外側にあることを、決定することと、
前記識別された周波数帯域がロングタームエボリューション（ＬＴＥ）通信に割り当てられた無線スペクトルにおいて位置を特定されることに応答して、前記狭帯域領域が１つまたは複数の広帯域送信の前記帯域幅内にあることを、決定することと、を備える、請求項２４に記載の方法。
【請求項２７】
前記ＰＢＣＨを復号するための前記復号技術を選択することは、
前記狭帯域領域が１つまたは複数の広帯域送信の前記帯域幅の外側にあることを決定することに応答して、共通基準信号（ＣＲＳ）ベースの復号技術を選択することと、
前記狭帯域領域が１つまたは複数の広帯域送信の前記帯域幅内にあることを決定することに応答して、復調基準信号（ＤＭＲＳ）ベースの復号技術を選択することと、を備える、請求項２６に記載の方法。
【請求項２８】
システム帯域幅の狭帯域領域における動作をサポートするシステムにおけるワイヤレス通信のための方法は、
リソースブロックを送信するために使用される前記システム帯域幅の前記狭帯域領域内の複数のサブキャリアを識別することと、
前記リソースブロックを送信するために使用される前記複数のサブキャリアの中心周波数サブキャリアを識別することと、
前記中心周波数サブキャリアの前記識別に少なくとも部分的に基づいて前記複数のサブキャリアのうちの１つまたは複数の他のサブキャリアを修正することと、を備える、方法。
【請求項２９】
１つまたは複数の他のサブキャリアを前記修正することは、
前記中心周波数サブキャリアがデータ送信のために使用されるべきでないことのインジケーションを受信することと、
前記中心周波数サブキャリアの周りでデータ送信をレートマッチングすることと、を備える、請求項２８に記載の方法。
【請求項３０】
１つまたは複数の他のサブキャリアを前記修正することは、
前記中心周波数サブキャリア以外の前記複数のサブキャリアのうちの１つまたは複数をパワーブーストすることをさらに備える、請求項２９に記載の方法。
【請求項３１】
１つまたは複数の他のサブキャリアを前記修正することは、
前記中心周波数サブキャリア以外の前記複数のサブキャリアのうちの１つまたは複数に周波数偏移を適用することを備える、請求項２８に記載の方法。
【請求項３２】
１つまたは複数の他のサブキャリアを前記修正することは、
サブキャリア周波数帯域幅の半分の周波数偏移に対応するオフセットを有するデジタル波形を生成することと、
前記デジタル波形の前記オフセットに少なくとも部分的に基づいて送信オシレータを調整することと、を備える、請求項２８に記載の方法。
【請求項３３】
システム帯域幅の狭帯域領域における動作をサポートするシステムにおけるワイヤレス通信のための装置は、
前記システム帯域幅の広帯域領域内のシングルリソースブロックとして前記システム帯域幅の前記狭帯域領域の位置を識別するための手段と、
前記システム帯域幅の前記広帯域領域内の前記シングルリソースブロックの前記位置のインジケーションを送信するための手段と、を備える、装置。
【請求項３４】
システム帯域幅の狭帯域領域における動作をサポートするシステムにおけるワイヤレス通信のための装置は、
デバイスディスカバリのための同期化信号を生成するための手段と、前記同期化信号は、シングルリソースブロック内の２つ以上の直交周波数分割多重化（ＯＦＤＭ）シンボルを備える、
前記狭帯域領域において前記同期化信号を送信するための手段と、を備える、装置。
【請求項３５】
システム帯域幅の狭帯域領域における動作をサポートするシステムにおけるワイヤレス通信のための装置は、
狭帯域送信のためのシングルリソースブロックの位置のインジケーションを受信するための手段と、前記シングルリソースブロックは前記システム帯域幅の広帯域領域内にある、
前記インジケーションに少なくとも部分的に基づいて前記狭帯域送信を受信するための１つまたは複数の同期化パラメータを識別するための手段と、を備える、装置。
【請求項３６】
システム帯域幅の狭帯域領域における動作をサポートするシステムにおけるワイヤレス通信のための装置は、
デバイスディスカバリに関わるシステム情報を含む物理ブロードキャストチャネル（ＰＢＣＨ）の送信のための前記システム帯域幅の前記狭帯域領域の周波数帯域を識別するための手段と、
前記狭帯域領域の前記識別された周波数帯域に少なくとも部分的に基づいて前記ＰＢＣＨを復号するための復号技術を選択するための手段と、を備える、装置。
【請求項３７】
システム帯域幅の狭帯域領域における動作をサポートするシステムにおけるワイヤレス通信のための装置は、
リソースブロックを送信するために使用される前記システム帯域幅の前記狭帯域領域内の複数のサブキャリアを識別するための手段と、
前記リソースブロックを送信するために使用される前記複数のサブキャリアの中心周波数サブキャリアを識別するための手段と、
前記中心周波数サブキャリアの前記識別に少なくとも部分的に基づいて前記複数のサブキャリアのうちの１つまたは複数の他のサブキャリアを修正するための手段と、を備える、装置。
【発明の詳細な説明】
【関連出願の相互参照】
【０００１】
[0001]  本願は、２０１６年８月２３日に出願された「Downlink and Synchronization Techniques for Narrowband Wireless Communications」と題する、Rico Alvarino他による米国特許出願第１５／２４４，６５３号、２０１６年１月１１日に出願された「Downlink and Synchronization Techniques for Narrowband Wireless Communications」と題する、Rico Alvarino他による米国仮特許出願第６２／２７７，４６２号、および２０１５年８月２６日に出願された「Downlink and Synchronization Techniques for Narrowband Wireless Communications」と題する、Rico Alvarino他による米国仮特許出願第６２／２１０，３４３号の優先権を主張し、これらの各々は、本譲受人に譲渡されている。
【技術分野】
【０００２】
[0002]  以下は概して、ワイヤレス通信（wireless communication）に関し、より具体的には、狭帯域ワイヤレス通信（narrowband wireless communication）のためのダウンリンク（downlink）および同期化技術（synchronization technique）に関する。
【背景技術】
【０００３】
[0003]  ワイヤレス通信システムは、音声、ビデオ、パケットデータ、メッセージング、ブロードキャストなどのようなさまざまなタイプの通信コンテンツを提供するために広く展開されている。これらのシステムは、利用可能なシステムリソース（例えば、時間、周波数、および電力）を共有することによって複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標）：Long Term Evolution）システム）を含む。ワイヤレス多元接続通信システムは、複数の基地局を含み得、各々が、複数の通信デバイスのための通信を同時にサポートし、それらは別名ユーザ機器（ＵＥ：user equipment）として知られ得る。
【０００４】
[0004]  いくつかのワイヤレス通信システムは、マシンツーマシン（Ｍ２Ｍ：Machine-to-Machine）通信またはマシンタイプ通信（ＭＴＣ：Machine Type Communication）をインプリメントするような、ワイヤレスデバイス（wireless device）間の狭帯域通信（narrowband communication）を提供し得る。いくつかの例では、ＭＴＣデバイスは、低減された複雑度または低減されたパフォーマンスメトリックを有し得、狭帯域通信、低コスト動作、低電力消費、または同様のものに関連付けされ得る。非ＭＴＣデバイスに適したサンプリングレートを使用した信号処理は、ＭＴＣデバイスの能力に関わる高い電力消費（power consumption）および処理複雑度（processing complexity）をもたらし得る。
【発明の概要】
【０００５】
[0005]  説明される特徴は概して、ワイヤレス通信システムにおける狭帯域通信のための、１つまたは複数の改良されたシステム、方法、および／または装置に関し得る。いくつかの態様では、同期化信号（synchronization signal）、例えば、プライマリ同期化信号（ＰＳＳ：primary synchronization signal）またはセカンダリ同期化信号（ＳＳＳ：secondary synchronization signal）は、狭帯域送信（narrowband transmission）におけるシングルリソースブロック（single resource block）内で送信され得る。共通基準信号（ＣＲＳ：common reference signal）（セル固有基準信号（cell-specific reference signal）とも呼ばれる）はまた、シングルリソースブロック中に存在し得、それは、いくつかの例では、同期化信号をパンクチャ（puncture）し得る。他の例では、同期化信号は、シングルリソースブロックの非ＣＲＳシンボル（non-CRS symbol）にマッピングされ得る。
【０００６】
[0006]  本開示の特定の態様では、システム帯域幅（system bandwidth）の広帯域領域（narrowband region）内で狭帯域送信のためのシングルリソースブロックの位置（location）のインジケーション（indication）を、基地局が送信し得、ＵＥが受信し得る。ＵＥは、インジケーションに基づいて狭帯域送信を受信するための１つまたは複数の同期化パラメータ（synchronization parameter）を識別し得る。ＵＥは、いくつかの例では、狭帯域送信の識別された周波数帯域（frequency band）に基づいて、例えば、識別された周波数帯域が広帯域送信帯域幅（wideband transmission bandwidth）内にあるか、広帯域送信帯域幅外にあるかに基づいて、復号するための復号技術（decoding technique）を選択し得る。他の態様では、サブキャリア（subcarrier）のセットは、識別されるサブキャリアのセットの中心周波数サブキャリア（center-frequency subcarrier）、およびリソースブロックを送信するために使用されるシステム帯域幅の狭帯域領域（narrowband region）内で識別され得る。サブキャリアのセットの１つまたは複数の他のサブキャリアは、中心周波数サブキャリアの識別に基づいて、例えば、周波数偏移（frequency shifting）またはパワーブースト（power boosting）などによって、修正され得る。
【０００７】
[0007]  ワイヤレス通信の方法が説明される。方法は、デバイスディスカバリ（device discovery）のための同期化信号を受信することと、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化することと、を含み得る。
【０００８】
[0008]  ワイヤレス通信のための装置が説明される。装置は、デバイスディスカバリのための同期化信号を受信するための手段と、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化するための手段と、を含み得る。
【０００９】
[0009]  ワイヤレス通信のためのさらなる装置が説明される。装置は、プロセッサと、プロセッサと電子通信状態にあるメモリと、プロセッサによって実行されたときに、装置に、デバイスディスカバリのための同期化信号を受信することと、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化することとを行わせるように動作可能な、メモリに記憶された命令と、を含み得る。
【００１０】
[0010]  ワイヤレス通信のためのコード（code）を記憶する非一時的コンピュータ可読媒体（non-transitory computer-readable medium）が説明される。コードは、デバイスディスカバリのための同期化信号を受信することと、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化することと、を実行可能である命令を含み得る。
【００１１】
[0011]  本書に説明される方法、装置、または非一時的コンピュータ可読媒体のいくつかの例は、同期化信号のフォーマットに少なくとも部分的に基づいて狭帯域領域が１つまたは複数の広帯域送信（wideband transmission）の帯域幅（bandwidth）内にあるかどうかを決定するためのプロセス、特徴、手段、または命令をさらに含み得る。さらに、または代替として、いくつかの例では、決定することは、同期化信号がシングルリソースブロック内の連続したＯＦＤＭシンボルにおいてフォーマットされることに応答して、狭帯域領域が１つまたは複数の広帯域送信の帯域幅内にあることを識別することと、同期化信号がシングルリソースブロック内の１つまたは複数の非連続的なＯＦＤＭシンボルにおいてフォーマットされることに応答して、狭帯域領域が１つまたは複数の広帯域送信の帯域幅外にあることを識別することと、を備える。
【００１２】
[0012]  本書で説明される方法、装置、または非一時的コンピュータ可読媒体のいくつかの例では、同期化信号は、ＰＳＳまたはＳＳＳのうちの１つまたは複数を備える。さらに、または代替として、いくつかの例では、同期化信号を生成することは、シングルリソースブロックにおける複数のＯＦＤＭシンボルに少なくとも部分的に基づいて時間ドメイン（time domain）または周波数ドメイン（frequency domain）においてシーケンス（sequence）を生成することと、第１のシーケンスのサンプルのセットに少なくとも部分的に基づいて第１のシーケンスの補間時間ドメインバージョン（interpolated time domain version）を生成することと、を備える。
【００１３】
[0013]  本書に説明される方法、装置、または非一時的コンピュータ可読媒体のいくつかの例では、同期化信号を生成することは、ＯＦＤＭシンボルの持続時間（duration）を各々有する複数の部分に補間時間ドメインバージョンを分割することと、関連付けられたＯＦＤＭシンボルに関連付けられたサイクリックプレフィクス（cyclic prefix）に対応する各部分のためのサンプルのサブセットを識別することと、各部分のためのサンプルの識別されたサブセットを除去することと、各部分にサイクリックプレフィクスをインサートすることと、をさらに備える。さらに、または代替として、いくつかの例では、同期化信号を生成することは、ＯＦＤＭサブキャリアのサブセットのみが同期化シーケンスを搬送するように周波数ドメインにおいて各ＯＦＤＭシンボルをウィンドウイング（windowing）することをさらに備える。
【００１４】
[0014]  ワイヤレス通信の方法が説明される。方法は、狭帯域送信のためのシングルリソースブロックの位置のインジケーションを受信することと、シングルリソースブロックはシステム帯域幅の広帯域領域内にある、インジケーションに少なくとも部分的に基づいて狭帯域送信を受信するための１つまたは複数の同期化パラメータを識別することと、を含み得る。
【００１５】
[0015]  ワイヤレス通信のための装置が説明される。装置は、狭帯域送信のためのシングルリソースブロックの位置のインジケーションを受信するための手段と、シングルリソースブロックはシステム帯域幅の広帯域領域内にある、インジケーションに少なくとも部分的に基づいて狭帯域送信を受信するための１つまたは複数の同期化パラメータを識別するための手段と、を含み得る。
【００１６】
[0016]  ワイヤレス通信のためのさらなる装置が説明される。装置は、プロセッサと、プロセッサと電子通信状態にあるメモリと、プロセッサによって実行されたときに、装置に、狭帯域送信のためのシングルリソースブロックの位置のインジケーションを受信することと、シングルリソースブロックはシステム帯域幅の広帯域領域内にある、インジケーションに少なくとも部分的に基づいて狭帯域送信を受信するための１つまたは複数の同期化パラメータを識別することと、を行わせるように動作可能な、メモリに記憶された命令と、を含み得る。
【００１７】
[0017]  ワイヤレス通信のためのコードを記憶する非一時的コンピュータ可読媒体が説明される。コードは、狭帯域送信のためのシングルリソースブロックの位置のインジケーションを受信することと、シングルリソースブロックはシステム帯域幅の広帯域領域内にある、インジケーションに少なくとも部分的に基づいて狭帯域送信を受信するための１つまたは複数の同期化パラメータを識別することと、を実行可能である命令を含み得る。
【００１８】
[0018]  本書に説明される方法、装置、または非一時的コンピュータ可読媒体のいくつかの例では、１つまたは複数の同期化パラメータを識別することは、インジケーションに含まれるリソースブロックオフセット（resource block offset）値および送信機のセル識別（cell identification）に少なくとも部分的に基づいてＣＲＳシーケンスを生成することを備える。さらに、または代替として、いくつかの例では、インジケーションは、システム帯域幅の全広帯域帯域幅（total wideband bandwidth ）と、シングルリソースブロックの位置を示すリソースブロックインデックス（resource block index）とを備える。
【００１９】
[0019]  本書で説明される方法、装置、または非一時的コンピュータ可読媒体のいくつかの例では、インジケーションは、マスター情報ブロック（ＭＩＢ：master information block）またはシステム情報ブロック（ＳＩＢ：system information block）のうちの１つまたは複数において送信される。
【００２０】
[0020]  ワイヤレス通信の方法が説明される。方法は、デバイスディスカバリに関わるシステム情報（system information）を含む物理ブロードキャストチャネル（ＰＢＣＨ：physical broadcast channel）の送信のためのシステム帯域幅の狭帯域領域の周波数帯域を識別することと、狭帯域領域の識別された周波数帯域に少なくとも部分的に基づいてＰＢＣＨを復号するための復号技術を選択することと、を含み得る。
【００２１】
[0021]  ワイヤレス通信のための装置が説明される。装置は、デバイスディスカバリに関わるシステム情報を含むＰＢＣＨの送信のためのシステム帯域幅の狭帯域領域の周波数帯域を識別するための手段と、狭帯域領域の識別された周波数帯域に少なくとも部分的に基づいてＰＢＣＨを復号するための復号技術を選択するための手段と、を含み得る。
【００２２】
[0022]  ワイヤレス通信のためのさらなる装置が説明される。装置は、プロセッサと、プロセッサと電子通信状態にあるメモリと、プロセッサによって実行されたときに、装置に、デバイスディスカバリに関わるシステム情報を含むＰＢＣＨの送信のためのシステム帯域幅の狭帯域領域の周波数帯域を識別することと、狭帯域領域の識別された周波数帯域に少なくとも部分的に基づいてＰＢＣＨを復号するための復号技術を選択することと、を行わせるように動作可能な、メモリに記憶された命令と、を含み得る。
【００２３】
[0023]  ワイヤレス通信のためのコードを記憶する非一時的コンピュータ可読媒体が説明される。コードは、デバイスディスカバリに関わるシステム情報を含むＰＢＣＨの送信のためのシステム帯域幅の狭帯域領域の周波数帯域を識別することと、狭帯域領域の識別された周波数帯域に少なくとも部分的に基づいてＰＢＣＨを復号するための復号技術を選択することと、を実行可能な命令を含み得る。
【００２４】
[0024]  本書に説明される方法、装置、または非一時的コンピュータ可読媒体のいくつかの例は、狭帯域領域が１つまたは複数の広帯域送信の帯域幅内にあるかどうかを、識別された周波数帯域に少なくとも部分的に基づいて、決定するためのプロセス、特徴、手段、または命令を、さらに含み得る。さらに、または代替として、いくつかの例では、狭帯域領域が１つまたは複数の広帯域送信の帯域幅内にあるかどうかを決定することは、識別された周波数帯域に関連付けられた無線アクセス技術（radio access technology）に少なくとも部分的に基づく。
【００２５】
[0025]  本書に説明される方法、装置、または非一時的コンピュータ可読媒体のいくつかの例では、狭帯域領域が１つまたは複数の広帯域送信の帯域幅内にあるかどうかを決定することは、識別された周波数帯域がグローバルシステムフォーモバイル通信（ＧＳＭ（登録商標）：Global System for Mobile）通信に割り当てられた無線スペクトル（radio spectrum）において位置を特定されることに応答して、１つまたは複数の広帯域送信の帯域幅外にあることを決定することと、識別された周波数帯域がＬＴＥ通信に割り当てられた無線スペクトルにおいて位置を特定されることに応答して、狭帯域領域が１つまたは複数の広帯域送信の帯域幅内にあることを決定することと、を備える。さらに、または代替として、いくつかの例では、ＰＢＣＨを復号するための復号技術を選択することは、狭帯域領域が１つまたは複数の帯域幅送信の帯域幅外にあることを決定することに応答して、ＣＲＳベースの復号技術を選択することと、狭帯域領域が１つまたは複数の帯域幅送信の帯域幅内にあることを決定することに応答して、復調基準信号（ＤＭＲＳ：demodulation reference signal）ベースの復号技術を選択することと、を備える。
【００２６】
[0026]  ワイヤレス通信の方法が説明される。方法は、リソースブロックを送信するために使用されるシステム帯域幅の狭帯域領域内の複数のサブキャリアを識別することと、リソースブロックを送信するために使用される複数のサブキャリアの中心周波数サブキャリアを識別することと、中心周波数サブキャリアの識別に少なくとも部分的に基づいて複数のサブキャリアのうちの１つまたは複数の他のサブキャリアを修正することと、を含み得る。
【００２７】
[0027]  ワイヤレス通信のための装置（apparatus）が説明される。装置は、リソースブロックを送信するために使用されるシステム帯域幅の狭帯域領域内の複数のサブキャリアを識別するための手段と、リソースブロックを送信するために使用される複数のサブキャリアの中心周波数サブキャリアを識別するための手段と、中心周波数サブキャリアの識別に少なくとも部分的に基づいて複数のサブキャリアのうちの１つまたは複数の他のサブキャリアを修正するための手段と、を含み得る。
【００２８】
[0028]  ワイヤレス通信のためのさらなる装置が説明される。装置は、プロセッサと、プロセッサと電子通信状態にあるメモリと、プロセッサによって実行されたときに、装置に、リソースブロックを送信するために使用されるシステム帯域幅の狭帯域領域内の複数のサブキャリアを識別することと、リソースブロックを送信するために使用される複数のサブキャリアの中心周波数サブキャリアを識別することと、中心周波数サブキャリアの識別に少なくとも部分的に基づいて複数のサブキャリアのうちの１つまたは複数の他のサブキャリアを修正することと、を行わせるように動作可能な、メモリに記憶された命令と、を含み得る。
【００２９】
[0029]  ワイヤレス通信のためのコードを記憶する非一時的コンピュータ可読媒体が説明される。コードは、リソースブロックを送信するために使用されるシステム帯域幅の狭帯域領域内の複数のサブキャリアを識別することと、リソースブロックを送信するために使用される複数のサブキャリアの中心周波数サブキャリアを識別することと、中心周波数サブキャリアの識別に少なくとも部分的に基づいて複数のサブキャリアのうちの１つまたは複数の他のサブキャリアを修正することと、を実行可能な命令を、含み得る。
【００３０】
[0030]  本書に説明される方法、装置、または非一時的コンピュータ可読媒体のいくつかの例では、１つまたは複数の他のサブキャリアを修正することは、中心周波数サブキャリアがデータ送信（data transmission）のために使用されるべきでないことのインジケーションを受信することと、中心周波数サブキャリアの周りでデータ送信をレートマッチング（rate matching）することと、を備える。さらに、または代替として、いくつかの例では、１つまたは複数の他のサブキャリアを修正することは、中心周波数サブキャリア以外の複数のサブキャリアのうちの１つまたは複数をパワーブーストすることをさらに備える。
【００３１】
[0031]  本書に説明される方法、装置、または非一時的コンピュータ可読媒体のいくつかの例では、１つまたは複数の他のサブキャリアを修正することは、中心周波数サブキャリア以外の複数のサブキャリアのうちの１つまたは複数に周波数偏移を適用することを備える。さらに、または代替として、いくつかの例では、１つまたは複数の他のサブキャリアを修正することは、サブキャリア周波数帯域幅（subcarrier frequency bandwidth）の半分の周波数偏移に対応するオフセットを有するデジタル波形を生成することと、デジタル波形のオフセットに少なくとも部分的に基づいて送信オシレータ（transmit oscillator）を調整することと、を備える。
【００３２】
[0032]  ワイヤレス通信の方法が説明される。方法は、デバイスディスカバリのための同期化信号を生成することと、同期化信号はシングルリソースブロック内の２つ以上のＯＦＤＭシンボルを備える、狭帯域領域において同期化信号を送信することと、を含み得る。
【００３３】
[0033]  ワイヤレス通信のための装置が説明される。装置は、デバイスディスカバリのための同期化信号を生成するための手段と、同期化信号はシングルリソースブロック内の２つ以上のＯＦＤＭシンボルを備える、狭帯域領域において同期化信号を送信するための手段と、を含み得る。
【００３４】
[0034]  ワイヤレス通信のためのさらなる装置が説明される。装置は、プロセッサと、プロセッサと電子通信状態にあるメモリと、プロセッサによって実行されたときに、装置に、デバイスディスカバリのための同期化信号を生成することと、同期化信号はシングルリソースブロック内の２つ以上のＯＦＤＭシンボルを備える、狭帯域領域において同期化信号を送信することと、を行わせるように動作可能な、メモリに記憶された命令と、を含み得る。
【００３５】
[0035]  ワイヤレス通信のためのコードを記憶する非一時的コンピュータ可読媒体が説明される。コードは、デバイスディスカバリのための同期化信号を生成することと、同期化信号はシングルリソースブロック内の２つ以上のＯＦＤＭシンボルを備える、狭帯域領域において同期化信号を送信することと、を実行可能な命令を含み得る。
【００３６】
[0036]  本書で説明される方法、装置、または非一時的コンピュータ可読媒体のいくつかの例では、同期化信号は、ＰＳＳまたはＳＳＳのうちの１つまたは複数を備える。さらに、または代替として、いくつかの例では、同期化信号は、連続したＯＦＤＭシンボルのセットにおいて送信される。
【００３７】
[0037]  本書に説明される方法、装置、または非一時的コンピュータ可読媒体のいくつかの例は、連続したＯＦＤＭシンボルのセットをパンクチャする１つまたは複数のリソースエレメント（ＲＥ：resource element）を使用してＣＲＳを送信するためのプロセス、特徴、手段、または命令をさらに含み得る。さらに、または代替として、いくつかの例は、１つまたは複数のＣＲＳ ＲＥを含むＣＲＳ ＯＦＤＭシンボルとしてシングルリソースブロック内の１つまたは複数のＯＦＤＭシンボルを識別することと、非ＣＲＳ ＯＦＤＭシンボルに同期化信号を含むＯＦＤＭシンボルをマッピングすることと、を行うためのプロセス、特徴、手段、または命令を含み得る。
【００３８】
[0038]  本書に説明される方法、装置、または非一時的コンピュータ可読媒体のいくつかの例では、狭帯域領域における同期化信号の送信は、ＭＢＭＳシングル周波数ネットワーク（ＭＢＳＦＮ：Multimedia Broadcast Single Frequency Network）サブフレーム（subframe）として事前に構成されるサブフレームにおいて同期化信号を送信することを備える。さらに、または代替として、いくつかの例は、ＭＢＳＦＮサブフレームとして同期化信号を含むサブフレームを構成するためのプロセス、特徴、手段または命令を含み得る。
【００３９】
[0039]  本書に説明される方法、装置、または非一時的コンピュータ可読媒体のいくつかの例は、狭帯域領域が１つまたは複数の広帯域送信の帯域幅内にあるかどうかを識別することと、狭帯域領域が１つまたは複数の広帯域送信の帯域幅内にあるかどうかを１つまたは複数の受信機に示すことと、を行うためのプロセス、特徴、手段、または命令をさらに含み得る。さらに、または代替として、いくつかの例では、狭帯域領域が１つまたは複数の広帯域送信の帯域幅内にあるかどうかを１つまたは複数の受信機に示すことは、狭帯域領域が１つまたは複数の広帯域送信の帯域幅内にあるかどうかに少なくとも部分的に基づいて送信のためのシングルリソースブロック内のＯＦＤＭシンボルを選択することと、選択されたＯＦＤＭシンボルを使用して同期化信号を送信することと、を備える。
【００４０】
[0040]  ワイヤレス通信の方法が説明される。方法は、システム帯域幅の広帯域領域内のシングルリソースブロックとしてシステム帯域幅の狭帯域領域の位置を識別することと、システム帯域幅の広帯域領域内のシングルリソースブロックの位置のインジケーションを送信することと、を含み得る。
【００４１】
[0041]  ワイヤレス通信のための装置が説明される。装置は、システム帯域幅の広帯域領域内のシングルリソースブロックとしてシステム帯域幅の狭帯域領域の位置を識別するための手段と、システム帯域幅の広帯域領域内のシングルリソースブロックの位置のインジケーションを送信するための手段と、を含み得る。
【００４２】
[0042]  ワイヤレス通信のためのさらなる装置が説明される。装置は、プロセッサと、プロセッサと電子通信状態にあるメモリと、プロセッサによって実行されたときに、装置に、システム帯域幅の広帯域領域内のシングルリソースブロックとしてシステム帯域幅の狭帯域領域の位置を識別することと、システム帯域幅の広帯域領域内のシングルリソースブロックの位置のインジケーションを送信することと、を行わせるように動作可能な、メモリに記憶された命令と、を含み得る。
【００４３】
[0043]  ワイヤレス通信のためのコードを記憶する非一時的コンピュータ可読媒体が説明される。コードは、システム帯域幅の広帯域領域内のシングルリソースブロックとしてシステム帯域幅の狭帯域領域の位置を識別することと、システム帯域幅の広帯域領域内のシングルリソースブロックの位置のインジケーションを送信することと、を実行可能な命令を含み得る。
【００４４】
[0044]  本書に説明される方法、装置、または非一時的コンピュータ可読媒体のいくつかの例では、インジケーションは、システム帯域幅の全広帯域帯域幅と、シングルリソースブロックの位置を示すリソースブロックインデックスとを備える。さらに、または代替として、いくつかの例では、インジケーションは、システム帯域幅の広帯域帯域幅の開始からのリソースブロックオフセットを備える。さらなる例では、リソースブロックオフセットは、帯域幅の中心に対してオフセットしている。
【００４５】
[0045]  本書で説明される方法、装置、または非一時的コンピュータ可読媒体のいくつかの例では、インジケーションは、シングルリソースブロックに含まれる１つまたは複数のＣＲＳリソースエレメントを備える。さらに、または代替として、いくつかの例では、インジケーションは、ＭＩＢまたはＳＩＢのうちの１つまたは複数において送信される。
【００４６】
[0046]  ワイヤレス通信の方法が説明される。方法は、狭帯域領域におけるデバイスディスカバリに関わるシステム情報の送信のためのＰＢＣＨ信号を生成することと、ＤＭＲＳに少なくとも部分的に基づいてＰＢＣＨ信号を変調することと、狭帯域領域において変調されたＰＢＣＨ信号を送信することと、を含み得る。
【００４７】
[0047]  ワイヤレス通信のための装置が説明される。装置は、狭帯域領域におけるデバイスディスカバリに関わるシステム情報の送信のためのＰＢＣＨ信号を生成するための手段と、ＤＭＲＳに少なくとも部分的に基づいてＰＢＣＨ信号を変調するための手段と、狭帯域領域において変調されたＰＢＣＨ信号を送信するための手段と、を含み得る。
【００４８】
[0048]  ワイヤレス通信のためのさらなる装置が説明される。装置は、プロセッサと、プロセッサと電子通信状態にあるメモリと、プロセッサによって実行されたときに、装置に、狭帯域領域におけるデバイスディスカバリに関わるシステム情報の送信のためのＰＢＣＨ信号を生成することと、ＤＭＲＳに少なくとも部分的に基づいてＰＢＣＨ信号を変調することと、狭帯域領域において変調されたＰＢＣＨ信号を送信することと、を行わせるように動作可能な、メモリに記憶された命令と、を含み得る。
【００４９】
[0049]  ワイヤレス通信のためのコードを記憶する非一時的コンピュータ可読媒体が説明される。コードは、狭帯域領域におけるデバイスディスカバリに関わるシステム情報の送信のためのＰＢＣＨ信号を生成することと、ＤＭＲＳに少なくとも部分的に基づいてＰＢＣＨ信号を変調することと、狭帯域領域において変調されたＰＢＣＨ信号を送信することと、を実行可能な命令を含み得る。
【００５０】
[0050]  本書に説明される方法、装置、または非一時的コンピュータ可読媒体のいくつかの例では、ＰＢＣＨ信号を変調することは、変調されたＰＢＣＨ信号の送信のためのプリコーディングマトリックス（precoding matrix）を選択することと、システム帯域幅における狭帯域領域において他の送信のための選択されたプリコーディングマトリックスを使用することと、を備える。さらに、または代替として、いくつかの例は、システム帯域幅の狭帯域領域における変調されたＰＢＣＨ信号、または、他の送信のうちの１つまたは複数においてＣＲＳを送信するためのプロセス、特徴、手段、または命令を含み、チャネル推定（channel estimation）における使用のためのＣＲＳは、１つまたは複数の受信機（receiver）である。
【００５１】
[0051]  ワイヤレス通信の方法が説明される。方法は、デバイスディスカバリに関わるシステム情報の送信のためのＰＢＣＨ信号を生成することと、ＰＢＣＨ信号は狭帯域領域において送信されるリソースブロックに含まれる、ＭＢＳＦＮサブフレームとしてリソースブロックを含むサブフレームを識別することと、ＭＢＳＦＮサブフレームにおいてＰＢＣＨ信号を送信することと、を含み得る。
【００５２】
[0052]  ワイヤレス通信のための装置が説明される。装置は、デバイスディスカバリに関わるシステム情報の送信のためのＰＢＣＨ信号を生成するための手段と、ＰＢＣＨ信号は狭帯域領域において送信されるリソースブロックに含まれる、ＭＢＳＦＮサブフレームとしてリソースブロックを含むサブフレームを識別するための手段と、ＭＢＳＦＮサブフレームにおいてＰＢＣＨ信号を送信するための手段と、を含み得る。
【００５３】
[0053]  ワイヤレス通信のためのさらなる装置が説明される。装置は、プロセッサと、プロセッサと電子通信状態にあるメモリと、プロセッサによって実行されたときに、装置に、デバイスディスカバリに関わるシステム情報の送信のためのＰＢＣＨ信号を生成することと、ＰＢＣＨ信号は狭帯域領域において送信されるリソースブロックに含まれる、ＭＢＳＦＮサブフレームとしてリソースブロックを含むサブフレームを識別することと、ＭＢＳＦＮサブフレームにおいてＰＢＣＨ信号を送信することと、を行わせるように動作可能な、メモリに記憶された命令と、を含み得る。
【００５４】
[0054]  ワイヤレス通信のためのコードを記憶する非一時的コンピュータ可読媒体が説明される。コードは、デバイスディスカバリに関わるシステム情報の送信のためのＰＢＣＨ信号を生成することと、ＰＢＣＨ信号は狭帯域領域において送信されるリソースブロックに含まれる、ＭＢＳＦＮサブフレームとしてリソースブロックを含むサブフレームを識別することと、ＭＢＳＦＮサブフレームにおいてＰＢＣＨ信号を送信することと、を実行可能な命令を含み得る。
【００５５】
[0055]  本書に説明される方法、装置、または非一時的コンピュータ可読媒体のいくつかの例は、リソースブロックにおいてＣＲＳを送信するためのプロセス、特徴、手段、または命令をさらに含み得る。さらに、または代替として、いくつかの例では、ゼロのリソースブロックオフセットを想定するＣＲＳが生成される。
【００５６】
[0056]  本書に説明される方法、装置、または非一時的コンピュータ可読媒体のいくつか例では、ＣＲＳは、リソースブロック内の１つまたは複数のＯＦＤＭシンボルで送信され、１つまたは複数のＯＦＤＭシンボルは、リソースブロック内に固定のオフセットを有する。
【００５７】
[0057]  説明される方法および装置の適用可能性のさらなる範囲が、以下の詳細な説明、特許請求の範囲、および図面から明らかとなるであろう。詳細な説明の精神および範囲内でのさまざまな変更および修正が当業者にとって明らかとなるであろうことから、詳細な説明および具体的な例は、例示のみを目的として与えられる。
【００５８】
[0058]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書で第１の参照ラベルのみが使用される場合、その説明は、第２の参照ラベルに関係なく同じ第１の参照ラベルを有する同様のコンポーネントのうちのいずれか１つに適用可能である。
【図面の簡単な説明】
【００５９】
【図１】[0059]  図１は、本開示のさまざまな態様にしたがって狭帯域ワイヤレス通信のためのダウンリンクおよび同期化技術をサポートするワイヤレス通信システムの例を例示する。
【図２】[0060]  図２は、本開示のさまざまな態様にしたがって狭帯域ワイヤレス通信のためのダウンリンクおよび同期化技術をサポートするワイヤレス通信サブシステムの例を例示する。
【図３】[0061]  図３は、本開示のさまざまな態様にしたがって、狭帯域ワイヤレス通信のためのダウンリンクおよび同期化技術をサポートするシステム帯域幅内の狭帯域送信リソースブロックの配置に関わるさまざまなオプションおよびシステム帯域幅の例を例示する。
【図４】[0062]  図４は、本開示のさまざまな態様にしたがって、狭帯域ワイヤレス通信のためのダウンリンクおよび同期化技術をサポートするリソースエレメントマッピング（resource element mapping）の例を例示する。
【図５】[0063]  図５は、本開示のさまざまな態様にしたがって狭帯域ワイヤレス通信のためのダウンリンクおよび同期化技術をサポートするリソースエレメントマッピングの別の例を例示する。
【図６】[0064]  図６は、本開示のさまざまな態様にしたがって、狭帯域ワイヤレス通信のためのダウンリンクおよび同期化技術をサポートする、広帯域送信の送信帯域幅内の狭帯域領域、および別の割り当てられた周波数帯域における狭帯域領域の例を例示する。
【図７】[0065]  図７は、本開示のさまざまな態様にしたがって、狭帯域送信および広帯域送信のための異なる中心周波数サブキャリアの例を例示する。
【図８Ａ】[0066]  図８Ａは、本開示のさまざまな態様にしたがって狭帯域ワイヤレス通信のためのダウンリンクおよび同期化技術をサポートするシーケンス生成（sequence generation）の例を例示する。
【図８Ｂ】図８Ｂは、本開示のさまざまな態様にしたがって狭帯域ワイヤレス通信のためのダウンリンクおよび同期化技術をサポートするシーケンス生成の例を例示する。
【図８Ｃ】図８Ｃは、本開示のさまざまな態様にしたがって狭帯域ワイヤレス通信のためのダウンリンクおよび同期化技術をサポートするシーケンス生成の例を例示する。
【図９】[0067]  図９は、本開示のさまざまな態様にしたがって生成される典型的なのシーケンス（exemplary sequence）の相互相関特性（cross-correlation property）の例を例示する。
【図１０】[0068]  図１０は、本開示のさまざまな態様にしたがって狭帯域ワイヤレス通信のためのダウンリンクおよび同期化技術をサポートするプロセスフローの例を例示する。
【図１１】図１１は、本開示のさまざまな態様にしたがって狭帯域ワイヤレス通信のためのダウンリンクおよび同期化技術をサポートするプロセスフローの例を例示する。
【図１２】図１２は、本開示のさまざまな態様にしたがって狭帯域ワイヤレス通信のためのダウンリンクおよび同期化技術をサポートするプロセスフローの例を例示する。
【図１３】図１３は、本開示のさまざまな態様にしたがって狭帯域ワイヤレス通信のためのダウンリンクおよび同期化技術をサポートするプロセスフローの例を例示する。
【図１４】[0069]  図１４は、本開示のさまざまな態様にしたがって狭帯域ワイヤレス通信のためのダウンリンクおよび同期化技術をサポートするワイヤレスデバイスのブロック図を示す。
【図１５】図１５は、本開示のさまざまな態様にしたがって狭帯域ワイヤレス通信のためのダウンリンクおよび同期化技術をサポートするワイヤレスデバイスのブロック図を示す。
【図１６】図１６は、本開示のさまざまな態様にしたがって狭帯域ワイヤレス通信のためのダウンリンクおよび同期化技術をサポートするワイヤレスデバイスのブロック図を示す。
【図１７】[0070]  図１７は、本開示のさまざまな態様にしたがって狭帯域ワイヤレス通信のためのダウンリンクおよび同期化技術をサポートするＵＥを含むシステムのブロック図を例示する。
【図１８】[0071]  図１８は、本開示のさまざまな態様にしたがって狭帯域ワイヤレス通信のためのダウンリンクおよび同期化技術をサポートするワイヤレスデバイスのブロック図を示す。
【図１９】図１９は、本開示のさまざまな態様にしたがって狭帯域ワイヤレス通信のためのダウンリンクおよび同期化技術をサポートするワイヤレスデバイスのブロック図を示す。
【図２０】図２０は、本開示のさまざまな態様にしたがって狭帯域ワイヤレス通信のためのダウンリンクおよび同期化技術をサポートするワイヤレスデバイスのブロック図を示す。
【図２１】[0072]  図２１は、本開示のさまざまな態様にしたがって狭帯域ワイヤレス通信のためのダウンリンクおよび同期化技術をサポートする基地局を含むシステムのブロック図を例示する。
【図２２】[0073]  図２２は、本開示のさまざまな態様にしたがって狭帯域ワイヤレス通信のためのダウンリンクおよび同期化技術のための方法を例示する。
【図２３】図２３は、本開示のさまざまな態様にしたがって狭帯域ワイヤレス通信のためのダウンリンクおよび同期化技術のための方法を例示する。
【図２４】図２４は、本開示のさまざまな態様にしたがって狭帯域ワイヤレス通信のためのダウンリンクおよび同期化技術のための方法を例示する。
【図２５】図２５は、本開示のさまざまな態様にしたがって狭帯域ワイヤレス通信のためのダウンリンクおよび同期化技術のための方法を例示する。
【図２６】図２６は、本開示のさまざまな態様にしたがって狭帯域ワイヤレス通信のためのダウンリンクおよび同期化技術のための方法を例示する。
【図２７】図２７は、本開示のさまざまな態様にしたがって狭帯域ワイヤレス通信のためのダウンリンクおよび同期化技術のための方法を例示する。
【図２８】図２８は、本開示のさまざまな態様にしたがって狭帯域ワイヤレス通信のためのダウンリンクおよび同期化技術のための方法を例示する。
【図２９】図２９は、本開示のさまざまな態様にしたがって狭帯域ワイヤレス通信のためのダウンリンクおよび同期化技術のための方法を例示する。
【発明を実施するための形態】
【００６０】
[0074]  システム動作周波数帯域幅の狭帯域領域を利用し得るＭ２Ｍ通信に関わる技術が説明される。Ｍ２Ｍ通信またはＭＴＣは、オートメーション化されたデバイスが、人間の介在を全くまたはほとんど伴わずに互いに通信することを可能にするデータ通信技術に言及する。例えば、Ｍ２Ｍおよび／またはＭＴＣは、情報を測定またはキャプチャし、その情報を使用することができる中央サーバまたはアプリケーションプログラムにその情報を中継するか、またはプログラムまたはアプリケーションと相互動作する人間にその情報を提示するためのセンサまたはメータを一体化するデバイスからの通信に言及し得る。このようなデバイスは、Ｍ２Ｍデバイス、ＭＴＣデバイスおよび／またはＭＴＣデバイス ＵＥと呼ばれ得る。いくつかの場合では、互いに、または１つまたは複数のサーバに対して通信するＭＴＣデバイスのネットワークは、モノのインターネット（ＩｏＴ：Internet of Things）と呼ばれ得る。通信がセルラネットワークにわたって実施される例では、これは、モノのセルラＩｏＴ（ＣＩｏＴ：Cellular IoT）と呼ばれ得る。いくつかの展開（deployment）では、ＣＩｏＴデバイスは、セルラネットワークの割り当てられた帯域幅の比較的小さい部分を使用して通信し得、それは、狭帯域通信と呼ばれ得る。セルラネットワークの、割り当てられた帯域幅、またはシステム帯域幅、の他の部分は、より高いデータレートを有する通信のために使用され得、本書では広帯域通信（wideband communication）と呼ばれ得る。いくつかの例では、狭帯域通信は、１．４ＭＨｚ乃至２０ＭＨｚシステム帯域幅と比較して、無線周波数スペクトル帯域の２００ｋＨｚを占め得る。
【００６１】
[0075]  いくつかの展開では、ＣＩｏＴデバイスは、１６４ｄＢの最小の結合損失（ＭＣＬ：Minimum Coupling Loss）を有し得、それは、比較的高いパワースペクトル密度（ＰＳＤ：power spectral density）によって達成され得る。ＣＩｏＴデバイスは、比較的高いパワー効率要件を有し得、ＣＩｏＴネットワークは、比較的多数のデバイス（例えば、所定の地域の比較的多数の水道メータ、ガスメータ、電気メータ）を日常的にサポートし得る。ＣＩｏＴデバイスは、同様に比較的低コストを有するように設計され得、そのため、パワー効率の良い方法で動作するように特に設計され、且つ狭帯域通信のために必要とされ得る量を超える相当量の処理能力を有していないハードウェアコンポーネントを有し得る。上述されたように、いくつかの展開では、このようなＭＴＣデバイスは、２００ｋＨｚのチャネライゼーションで動作し得る。
【００６２】
[0076]  本開示のさまざまな態様は、ＬＴＥワイヤレス通信ネットワーク（wireless communications network）における狭帯域通信のための技術を提供する。いくつかの態様では、狭帯域ＭＴＣ通信は、広帯域ＬＴＥ通信のために使用される複数のリソースブロック（ＲＢ）のシングルＲＢを使用して送信され得る。狭帯域通信を使用するＵＥは、しかしながら、シングルＲＢ狭帯域内でセルサーチを実施する必要があり得、サーチのために使用される信号（ＰＳＳ／ＳＳＳ／ＰＢＣＨ）は、シングルＲＢシグナリングのために再設計される必要があり得る。さらに、シングルＲＢ狭帯域領域は、レガシ広帯域ＬＴＥ領域内で使用され得るため、いくつかのレガシＬＴＥ信号は、狭帯域領域、例えば、ＣＲＳまたはレガシ制御領域、内でさえも送信されることが必要であり得、それは、セルサーチ信号に干渉し得る。狭帯域領域がスタンドアロン（standalone）であろうと、広帯域領域内に含まれていようと、これらの要因は狭帯域ＬＴＥに対する初期アクセスのための設計に影響を与え得る。さらに、狭帯域初期アクセス設計は、レガシ広帯域領域内の狭帯域領域およびスタンドアロンの狭帯域領域の両方との互換性のために、適合（tailor）され得る。
【００６３】
[0077]  狭帯域通信を使用して有効なデバイスディスカバリおよび同期化を提供するために、いくつかの態様は、同期化信号、例えば、ＰＳＳまたはＳＳＳを提供し、それは、シングルリソースブロック内で送信され得る。同期化信号は、例えば、シングルＲＢ内の複数の直交周波数分割多重（ＯＦＤＭ：orthogonal frequency division multiplexing）シンボルを使用して、送信され得る。ＣＲＳはまた、シングルリソースブロックに存在し得、それは、いくつかの例では、同期化信号をパンクチャし得る。他の例では、同期化信号は、シングルリソースブロックの非ＣＲＳシンボルにマッピングされ得る。
【００６４】
[0078]  本開示の特定の態様では、システム帯域幅の広帯域領域内で狭帯域送信のためのシングルリソースブロックの位置のインジケーションを、基地局が送信し得、ＵＥが受信し得る。ＵＥは、インジケーションに基づいて狭帯域送信を受信するための１つまたは複数の同期化パラメータを識別し得る。ＵＥは、いくつかの例では、狭帯域送信の識別された周波数帯域に基づいて、例えば、識別された周波数帯域が広帯域送信帯域幅内にあるか、広帯域送信帯域幅外にあるかに基づいて、復号するための復号技術を選択し得る。他の態様では、サブキャリアのセットは、識別されるサブキャリアのセットの中心周波数サブキャリア、およびリソースブロックを送信するために使用されるシステム帯域幅の狭帯域領域内で識別され得る。サブキャリアのセットの１つまたは複数の他のサブキャリアは、中心周波数サブキャリアの識別に基づいて、例えば、周波数偏移またはパワーブーストによって、修正され得る。
【００６５】
[0079]  本開示の態様が、ワイヤレス通信システムのコンテキストで、最初に説明される。そして、ＬＴＥシステムにおける狭帯域ＭＴＣ通信に関わる特定の例が、説明される。本開示のこれらの態様、および他の態様は、さらに、狭帯域ワイヤレス通信のためのダウンリンクおよび同期化技術に関する装置の図、システムの図、およびフローチャートによって例示され、それらを参照して説明される。
【００６６】
[0080]  図１は、本開示のさまざまな態様にしたがって、ワイヤレス通信システム１００の例を例示する。ワイヤレス通信システム１００は、基地局１０５、ＵＥ１１５、およびコアネットワーク（core network）１３０を含む。いくつかの例では、ワイヤレス通信システム１００は、ＬＴＥ／ＬＴＥ−アドバンスド（ＬＴＥ−Ａ）ネットワークであり得る。
【００６７】
[0081]  基地局１０５は、１つまたは複数の基地局アンテナを介してＵＥ１１５とワイヤレスで通信し得る。各基地局１０５は、通信カバレッジをそれぞれの地理的カバレッジエリア１１０に提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は、固定式または移動式であり得る。ＵＥ１１５はまた、移動局、加入者局、遠隔ユニット、ワイヤレスデバイス、アクセス端末、ハンドセット、ユーザエージェント、クライアント、または何らかの他の適切な専門用語で呼ばれ得る。ＵＥ１１５はまた、セルラ電話、ワイヤレスモデム、携帯用デバイス、パーソナルコンピュータ、タブレット、パーソナル電子デバイス、ＭＴＣデバイスまたは同様のものであり得る。
【００６８】
[0082]  複数の基地局１０５は、コアネットワーク１３０と、および互いに、通信し得る。例えば、基地局１０５は、バックホールリンク（backhaul link）１３２（例えば、Ｓ１など）を通してコアネットワーク１３０とインターフェースで接続し得る。基地局１０５は、バックホールリンク１３４（例えば、Ｘ２など）にわたって、（例えば、コアネットワーク１３０を通じて）間接的に、または直接、互いに通信し得る。基地局１０５は、ＵＥ１１５との通信のための無線構成およびスケジューリングを実施し得るか、または基地局コントローラの制御のもとで動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００６９】
[0083]  上述されたように、ワイヤレスデバイスのいくつかのタイプが、自動通信を提供し得る。自動化されたワイヤレスデバイスは、Ｍ２Ｍ通信またはＭＴＣをインプリメントするものを含み得る。Ｍ２ＭまたはＭＴＣは、デバイスが、人間の介在なしに、互いにまたは基地局１０５と通信することを可能にするデータ通信技術に言及し得る。例えば、Ｍ２ＭまたはＭＴＣは、情報を測定またはキャプチャし、その情報を使用することができる中央サーバまたはアプリケーションプログラムにその情報を中継するか、プログラムまたはアプリケーションと相互動作する人間にその情報を提示するためのセンサまたはメータを一体化するデバイスからの通信に言及し得る。いくつかのＵＥ１１５は、情報を収集するか、または機械の自動化された挙動を可能にするように設計されたもののようなＭＴＣデバイスであり得る。ＭＴＣデバイスのためのアプリケーションの例は、ほんの数例を挙げれば、スマート計測、スマートスイッチ、在庫（inventory）モニタリング、水位モニタリング、機器モニタリング、ヘルスケアモニタリング、野生生物モニタリング、天候および地質学的イベントモニタリング、保有車両（fleet）管理および追跡、遠隔セキュリティ感知、物理アクセス制御、および取引ベースのビジネス課金（transaction-based business charging）を含む。ＭＴＣデバイスは、低減されたピークレートでの半二重（一方向）通信を使用して動作し得る。ＭＴＣデバイスはまた、アクティブな通信に従事していないときに節電（power saving）「ディープスリープ（deep sleep）」モードに入るように構成され得る。本開示のさまざまな態様にしたがって、ＭＴＣデバイスは、狭帯域通信を使用して動作し得、それは、他の広帯域通信の帯域幅外、または他の広帯域通信の帯域幅内に位置を特定され得る。
【００７０】
[0084]  上述されたように、本開示のさまざまな態様は、狭帯域通信を使用したデバイスディスカバリおよび同期化に関わる技術を提供する。いくつかの例では、ワイヤレスネットワークにアクセスしようとしているＵＥ１１５は、基地局１０５からＰＳＳを検出することによって初期のセルサーチを実施し得る。ＰＳＳは、スロットタイミングの同期化を有効にし得、物理レイヤアイデンティティ値（physical layer identity value）を示し得る。そしてＵＥ１１５は、ＳＳＳを検出し得る。ＳＳＳは、無線フレーム同期化を有効にし得、セルアイデンティティ値（cell identity value）を提供し得、それは、セルを識別するために物理レイヤアイデンティティ値と組み合わされ得る。ＳＳＳはまた、サイクリックプレフィクス長および二重化モード（duplexing mode）の検出を有効にし得る。いくつかのシステム、例えば、時分割二重（ＴＤＤ）システムは、ＰＳＳではなくＳＳＳを送信し得る。ＰＳＳおよびＳＳＳの両方は、それぞれ、確立された広帯域技術にしたがって、キャリアの中心の６２および７２サブキャリアにおいて位置を特定され得る。
【００７１】
[0085]  本開示の特定の態様では、ＰＳＳおよびＳＳＳは、シングルＲＢ内で位置を特定され得、シングルＲＢ内のＰＳＳまたはＳＳＳを有するシングルＯＦＤＭシンボルを有し得るいくつかの広帯域の展開と比較して、シングルリソースブロックの複数のＯＦＤＭシンボルを占有し得、そこでそれらが送信される。ＰＳＳおよびＳＳＳを受信した後に、ＵＥ１１５はＭＩＢを受信し得、それはＰＢＣＨにおいて送信され得る。ＭＩＢは、システム帯域幅情報、システムフレームナンバー（ＳＦＮ：system frame number）、および物理ＨＡＲＱインジケータチャネル（ＰＨＩＣＨ：physical HARQ indicator channel）構成を含み得る。ＭＩＢを復号した後に、ＵＥ１１５は、１つまたは複数のＳＩＢを受信し得る。例えば、ＳＩＢ１は、他のＳＩＢに関わるスケジューリング情報およびセルアクセスパラメータを含み得る。ＳＩＢ１を復号することは、ＵＥ１１５がＳＩＢ２を受信することを可能にし得る。ＳＩＢ２は、ランダムアクセスチャネル（ＲＡＣＨ：random access channel）プロシージャ、ページング、物理アップリンク制御チャネル（ＰＵＣＣＨ：physical uplink control channel）、物理アップリンク共有チャネル（ＰＵＳＣＨ：physical uplink shared channel）、パワー制御、ＳＲＳ、およびセルバリング（cell barring）に関連する無線リソース制御（ＲＲＣ：radio resource control）構成情報を含み得る。初期のセル同期化を完了した後に、ＵＥ１１５は、ネットワークにアクセスする前にＭＩＢ、ＳＩＢ１およびＳＩＢ２を復号し得る。ＭＩＢは、ＰＢＣＨ上で送信され得、ＵＥ初期アクセスに関わる情報のいくつかの重要な部分を搬送し得、それらは、ＲＢに関するダウンリンク（ＤＬ）チャネル帯域幅、ＰＨＩＣＨ構成（持続時間およびリソース割り当て）、およびＳＦＮを含む。新しいＭＩＢは、周期的にブロードキャストされ、フレームごとに（１０ｍｓ）リブロードキャスト（rebroadcast）され得る。ＭＩＢを受信した後に、ＵＥは、１つまたは複数のＳＩＢを受信し得る。異なるＳＩＢが、搬送されるシステム情報のタイプにしたがって定義され得る。ＳＩＢ１は、セルアイデンティティ情報（cell identity information）を含む、アクセス情報を含み得、それは、ＵＥがセル１０５においてキャンプすることが可能であるかどうかを示し得る。ＳＩＢ１はまた、セル選択情報（またはセル選択パラメータ）を含み得る。さらに、ＳＩＢ１は、他のＳＩＢに関わるスケジューリング情報を含む。ＳＩＢ２は、ＳＩＢ１における情報にしたがって動的にスケジューリングされ得、共通および共有のチャネルに関するパラメータおよびアクセス情報を含み得る。ＳＩＢ２の周期性は、例えば、８、１６、３２、６４、１２８、２５６、または５１２個の無線フレームに設定されることができる。
【００７２】
[0086]  ＬＴＥシステムは、ＤＬ上でＯＦＤＭＡを、ＵＬ上でシングルキャリア周波数分割多元接続（ＳＣ−ＦＤＭＡ）を利用し得る。ＯＦＤＭおよびＳＣ−ＦＤＭＡは、システム帯域幅を複数（Ｋ）個の直交サブキャリアに区分し、それらは、一般にトーンまたはビンとも呼ばれる。各サブキャリアは、データで変調され得る。隣接サブキャリア間の間隔は、固定され得、サブキャリアの総数（Ｋ個）は、システム帯域幅に依存し得る。例えば、Ｋは、１．４、３、５、１０、１５、または２０メガヘルツ（ＭＨｚ）の（ガード帯域を有する）対応するシステム帯域幅に対して、１５キロヘルツ（ＫＨｚ）のサブキャリア間隔で、それぞれ、７２、１８０、３００、６００、９００、または１２００に等しくなり得る。システム帯域幅はまた、複数のサブバンドに区分され得る。例えば、サブバンドは、１．０８ＭＨｚをカバーし、１、２、４、８、または１６個のサブバンドがあり得る。上述されたように、狭帯域リソースを使用してＭＴＣ通信を提供する例では、対応する狭帯域帯域幅は、２００ｋＨｚであり得、それは、１８０ｋＨｚのサブキャリアおよび２０ｋＨｚのガードバンドを含み得る。このような例では、狭帯域通信は、ＬＴＥシステム帯域幅のシングルＲＢを占有し得、１２個のサブキャリアが存在し得る。
【００７３】
[0087]  フレーム構造は、物理的なリソースを体系化するために使用され得る。フレームは、１０個の同じサイズのサブフレームにさらに分割され得る１０ｍｓの間隔（interval）であり得る。各サブフレームは、２個の連続するタイムスロットを含み得る。各スロットは、６または７個のＯＦＤＭＡシンボル期間を含み得る。リソースエレメントは、１個のシンボル期間および１個のサブキャリア（１５ＫＨｚの周波数範囲）から構成される。リソースブロックは、周波数ドメインにおいて１２個の連続するサブキャリアを含み、各ＯＦＤＭシンボルにおける通常のサイクリックプリフィックスでは、時間ドメイン（１スロット）における７個の連続するＯＦＤＭシンボルを含み、すなわち、８４個のＲＥを含み得る。いくつかのＲＥは、ＤＬ基準信号（ＤＬ−ＲＳ）を含み得る。ＤＬ−ＲＳは、共通基準信号とも呼ばれるＣＲＳと、ＵＥ固有のＲＳ（ＵＥ−ＲＳ）を含み得る。ＵＥ−ＲＳは、物理ダウンリンク共有チャネル（ＰＤＳＣＨ：physical downlink shared channel）に関連付けられたリソースブロック上において送信され得る。各リソースエレメントによって搬送される複数のビット（bit）は、変調方式（modulation scheme）（各シンボル期間中に選択され得るシンボルの構成）に依存し得る。かくして、ＵＥが受信するリソースブロックがより多いほど、および変調方式がより高度であるほど、データレートはより高くなり得る。
【００７４】
[0088]  いくつかの基地局１０５は、カバレッジエリア１１０内のいくつかのまたはすべてのＵＥ１１５にマルチメディアデータをブロードキャストするために、利用可能なダウンリンク帯域幅の一部を使用し得る。例えば、ワイヤレス通信システムは、モバイルＴＶコンテンツ（mobile TV content）をブロードキャストすること、または、コンサートまたはスポーツのイベントのようなライブイベントの近くに位置されたＵＥ１１５にライブイベントカバレッジ（live event coverage）をマルチキャストすることを、行うように構成され得る。いくつかの場合では、このことは、帯域幅のより有効な利用を可能にし得る。これらの基地局は、マルチメディアブロードキャストマルチキャストサービス（ＭＢＭＳ：multimedia broadcast multicast service）または進化型マルチメディアブロードキャストマルチキャストサービス（ｅＭＢＭＳ：evolved multimedia broadcast multicast service）のセルと呼ばれ得る。いくつかの場合では、ＭＢＭＳセルは、ＭＢＳＦＮにおいて一緒にグループ化され得、ここにおいてブロードキャストメディアは、各サポートセルによって同じ周波数リソース上で送信される。しかしながら、カバレッジエリアにおけるいくつかのＵＥ１１５は、ＭＢＭＳデータを受信しないことを選択し得る。基地局１０５が、ＭＢＭＳＦＮサブフレームとしてサブフレームを構成する場合、特定の信号は、ＣＲＳ送信のように、そのサブフレームにおいて送信されない場合がある。ＵＥ１１５は、サブフレームがＭＢＳＦＮサブフレームであることのインジケーションを受信し得、その結果、ＣＲＳがサブフレームにおいて存在しないことを決定し得る。
【００７５】
[0089]  述べられたように、基地局１０５は、ＵＥ１１５のチャネル推定およびコヒーレント復調（coherent demodulation）を助けるためにＣＲＳのような周期的なパイロットシンボルをインサートし得る。ＣＲＳは、５０４個の異なるセルアイデンティティのうちの１つを含み得る。それらは、４位相シフトキーイング（ＱＰＳＫ：quadrature phase shift keying）を使用して変調され得、そしてパワーブーストされ得（例えば、周りのデータエレメントより６ｄＢ高いところで送信され得）、それらがノイズおよび干渉に対する回復力がある（resilient）ようにする。ＣＲＳは、受信するＵＥ１１５のアンテナポートまたはレイヤの（最大４個の）数に基づいて各リソースブロックで４乃至１６個のＲＥに組み込まれ得る。基地局１０５のカバレッジエリア１１０においてすべてのＵＥ１１５によって使用され得るＣＲＳに加えて、ＤＭＲＳが、特定のＵＥ１１５に向けられ得、それらのＵＥ１１５に割り当てられたリソースブロックにおいてのみ送信され得る。ＤＭＲＳは、各リソースブロックにおいて６個のＲＥ上の信号を含み得、それらは、そこで送信される。異なるアンテナポートのためのＤＭ−ＲＳは、各々同じ６個のＲＥを使用し得、異なる直交カバーコード（orthogonal cover code）を使用して（例えば、異なるＲＥにおいて１または−１の異なる組み合わせで各信号をマスキングして）区別され得る。いくつかの場合では、ＤＭＲＳの２つのセットは、互いに隣接しているＲＥにおいて送信され得る。いくつかの場合では、チャネル状態情報基準信号（ＣＳＩ−ＲＳ：channel state information reference signal）として知られるさらなる基準信号が、チャネル状態情報（ＣＳＩ：channel state information）を生成するのを助けるために含まれ得る。ＵＬにおいて、ＵＥ１１５は、それぞれ、リンク適応および復調のためにアップリンク（ＵＬ）ＤＭＲＳと周期的サウンディング基準信号（ＳＲＳ：sounding reference signal）との組み合わせを送信し得る。ＤＭＲＳ送信は、特定のＵＥ１１５のための特定のプリコーディングマトリックスインデックス（ＰＭＩ：precoding matrix index）にしたがってプリコーディングされ得る。いくつかの例では、狭帯域通信を送信するとき、基地局１０５は、シングルＲＢ狭帯域通信における送信に同じプリコーディングマトリックスを適用し得、それは、ＵＥ１１５がＣＲＳ送信に依拠することなく信号を受信することを可能にし得る。
【００７６】
[0090]  本開示のさまざまな態様は、ＬＴＥワイヤレス通信ネットワークにおける狭帯域通信のための技術を提供する。いくつかの態様では、狭帯域ＭＴＣ通信は、広帯域ＬＴＥ通信のために使用される複数のＲＢのシングルＲＢを使用して送信され得る。狭帯域通信を使用して有効なデバイスディスカバリおよび同期化を提供するために、いくつかの態様は、同期化信号、例えば、ＰＳＳまたはＳＳＳを提供し、それは、シングルリソースブロック内で送信される。同期化信号は、例えば、シングルＲＢ内の複数のＯＦＤＭシンボルを使用して、送信され得る。ＣＲＳはまた、シングルリソースブロック中に存在し得、それは、いくつかの例では、同期化信号をパンクチャし得る。他の例では、同期化信号は、シングルリソースブロックの非ＣＲＳシンボルにマッピングされ得る。
【００７７】
[0091]  本開示の特定の態様では、システム帯域幅の広帯域領域内の狭帯域送信のためのシングルリソースブロックの位置のインジケーションを、基地局が送信し得、ＵＥが受信し得る。ＵＥは、インジケーションに基づいて狭帯域送信を受信するための１つまたは複数の同期化パラメータを識別し得る。ＵＥは、いくつかの例では、狭帯域送信の識別された周波数帯域に基づいて、例えば、識別された周波数帯域が広帯域送信帯域幅内にあるか、広帯域送信帯域幅外にあるかに基づいて、復号するための復号技術を選択し得る。他の態様では、サブキャリアのセットは、識別されるサブキャリアのセットの中心周波数サブキャリア、およびリソースブロックを送信するために使用されるシステム帯域幅の狭帯域領域内で識別され得る。サブキャリアのセットの１つまたは複数の他のサブキャリアは、中心周波数サブキャリアの識別に基づいて、例えば、周波数偏移またはパワーブーストによって、修正され得る。
【００７８】
[0092]  本書に示されるように、ＵＥ１１５は、本書に説明されるさまざまな技術を実施し得るＵＥ狭帯域通信モジュール（UE narrowband communication module）１４０を含み得る。１つの例では、ＵＥ狭帯域通信モジュール１４０は、デバイスディスカバリのための同期化信号を受信し、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化し得る。
【００７９】
[0093]  ＢＳ１０５が基地局（ＢＳ：base station）狭帯域通信モジュール１４５を含み得ることが、図１にさらに示される。ＢＳ狭帯域通信モジュール（BS narrowband communication module）１４５は、本書に説明されるさまざまな技術を実施し得る。例えば、ＢＳ狭帯域通信モジュール１４５は、デバイスディスカバリのための同期化信号を生成し、同期化信号はシングルリソースブロック内の２つ以上のＯＦＤＭシンボルを備える、狭帯域領域において同期化信号を送信し得る。
【００８０】
[0094]  図２は、本開示のさまざまな態様にしたがって狭帯域ワイヤレス通信のためのダウンリンクおよび同期化技術のためのワイヤレス通信サブシステム２００の例を例示する。ワイヤレス通信サブシステム２００は、ＵＥ１１５−ａおよび基地局１０５−ａを含み得、それらは、図１を参照して説明されたＵＥ１１５基地局１０５の例であり得る。
【００８１】
[0095]  いくつかの例では、ＵＥ１１５−ａは、通信リンク１２５−ａを介する狭帯域通信を使用して基地局１０５−ａと通信し得るＭＴＣデバイス、例えばスマートメータ（smart meter）である。デバイスディスカバリおよび同期化を実施するために、基地局１０５−ａは、シングルリソースブロック内の２つ以上のＯＦＤＭシンボルを含み得る同期化信号、例えばＰＳＳおよび／またはＳＳＳを生成し、狭帯域領域において同期化信号を送信し得る。ＵＥ１１５−ａは、同期化信号を受信し、それに基づいて狭帯域における送信の１つまたは複数のパラメータを同期化し得る。いくつかの例では、同期化信号の復号は、狭帯域送信が（例えば、広帯域ＬＴＥ送信におけるＬＴＥ ＲＢのような、）広帯域送信の送信帯域幅内において位置を特定されるか、または、広帯域送信帯域幅外に位置を特定されるか、に依存し得る。狭帯域送信が広帯域送信帯域幅内にある場合、基地局１０５−ａは、ＲＢの位置を特定し、ＵＥ１１５−ａに位置のインジケーションを送信し得る。このようなインジケーションは、いくつかの例では、システム帯域幅の全広帯域帯域幅、およびシングルリソースブロックの位置を示すリソースブロックインデックスを含み得る。他の例では、インジケーションは、広帯域帯域幅の開始からオフセットされたＲＢを単純に示し得る。
【００８２】
[0096]  図３は、本開示のさまざまな態様にしたがって、狭帯域ワイヤレス通信のためのダウンリンクおよび同期化技術をサポートするシステム帯域幅内の狭帯域送信リソースブロックの配置に関わるさまざまなオプション３００およびシステム帯域幅の例を例示する。オプション３００は、図１、２を参照して説明された基地局１０５およびＭＴＣタイプのＵＥ１１５のようなワイヤレスネットワークデバイス（wireless network device）によって使用され得る。いくつかの展開では、複数のＲＢ３０５が、基地局とさまざまなＵＥとの間の広帯域送信のために使用され得る。狭帯域ＭＴＣタイプのＵＥは、例えば、ＬＴＥシステム帯域幅３２５の狭帯域領域を使用して通信のサブセットを受信するように構成され得る。いくつかの例では、狭帯域通信は、ＬＴＥシステムのガードバンド３１０において送信され得、それは、ＬＴＥシステム帯域幅３２５外に位置を特定され得る。他の例では、狭帯域通信は、狭帯域送信のための構成されたＲＢ３１５において送信され得、それは、基地局によってサービスされ得るＵＥに、基地局によってシグナリングされ得る。さらなる例では、狭帯域通信は、ＬＴＥシステム帯域幅３２５のＲＢ３２０の専用のセットにおいて送信され得る。これらのＲＢ３２０は、帯域内で展開され得る。さらなる例では、狭帯域通信は、別の無線アクセス技術の通信に割り当てられ得る周波数帯域において、例えば、ＧＳＭ通信に割り当てられる周波数帯域において、送信され得る。通信を受信するＵＥは、本開示のさまざまな態様にしたがって、狭帯域通信の周波数帯域を識別し、特定の周波数帯域に基づいて１つまたは複数の復号および同期化技術を選択するように、構成され得る。
【００８３】
[0097]  狭帯域通信のためのＬＴＥ ＲＢの再利用によって、ＬＴＥシステムのさまざまな上位レイヤが、このようなシステムのハードウェアと併せて、相当量の追加のオーバーヘッドがない有効な方法で使用され得る。このような技術はまた、フラグメンテーション（fragmentation）を防ぎ得る（例えば、デバイスは、異なる量の送信帯域幅を使用する通信技術をインプリメントし得る）。シングルＲＢを占有する狭帯域信号を使用する場合、ＵＥは、狭帯域信号のみを使用してセルサーチを実施し得、そのため、ＵＥは、狭帯域通信のための構成されたＲＢが広帯域ＬＴＥ帯域幅３２５の中に配置されることを、または、ＲＢが広帯域ＬＴＥ帯域幅３２５内でない周波数帯域におけるスタンドアロン展開において送信されるかどうかを、認識しない場合がある。さらに、シングルＲＢがＬＴＥ帯域幅３２５との狭帯域通信のために保有されるときでさえも、いくつかのレガシＬＴＥ信号は、追跡ループ（tracking loops）のためのレガシＵＥによって使用されるＣＲＳトーンのように、このＲＢにおいて依然として送信され得る。さらに、レガシ制御領域（例えば、ＰＤＣＣＨ）は、レガシＵＥのためのこのようなシングルＲＢにおいて存在し得る。スタンドアロン構成において、レガシＵＥがこのような構成においてサービスされない場合、これらの信号を送信する必要がない。本開示のいくつかの態様では、ＵＥは、狭帯域通信が広帯域システム帯域幅内、または、広帯域システム帯域幅外にあることを決定し得、それにしたがって受信された信号を処理し得る。いくつかの態様では、統一された、または類似した、設計が、帯域内の狭帯域通信とスタンドアロン通信との両方のために提供される。本開示のさまざまな態様は、以下により詳細に論じられるように、ＵＥが複数の異なるタイプの展開において狭帯域送信を使用してデバイスディスカバリおよび同期化を実施することを可能にし得る同期化信号およびＰＢＣＨ技術を提供する。
【００８４】
[0098]  図４は、本開示のさまざまな態様にしたがって、狭帯域ワイヤレス通信のためのダウンリンクおよび同期化技術をサポートするリソースエレメントマッピング４００の例を例示する。リソースエレメントマッピング４００は、狭帯域通信を使用して動作し得る図１、２を参照して説明された基地局１０５およびＵＥ１１５のようなワイヤレスネットワークデバイスによって使用され得る。上述されたように、広帯域通信の帯域幅内における通信に関しては、さまざまな基準信号（例えば、ＣＲＳ）は、特定のＲＢの特定のＲＥにおいて送信されるように構成され得る。さらに、特定の同期化信号（例えば、ＰＳＳおよび／またはＳＳＳ）は、デバイスディスカバリおよび同期化のために提供され得る。
【００８５】
[0099]  図４の例では、サブフレーム４０５は、狭帯域（ＮＢ：narrowband）ＲＢ４１０を含む、複数のＲＢを含み得る。この例では、ＣＲＳ ＲＥ４１５は、ＲＢのシンボル０、４、７および１１において位置を特定され得る。いくつかの例では、ＲＢ４１０−ａおよび４１０−ｂは、連続したサブフレーム４０５において提供され得る。さらに、ＰＤＣＣＨ ＲＥ４２０は、ＲＢ４１０の最初の２個のシンボルにおいて提供され得る。いくつかの例にしたがえば、ＰＳＳ ＲＥ４２５は、複数の連続したＯＦＤＭシンボルにおいて提供され得、ＳＳＳ ＲＥ４３０は、第１のＲＢ４１０−ａの複数の連続したＯＦＤＭシンボルにおいて提供され得る。このような方法では、全同期化信号（entire synchronization signal）は、シングルＲＢにおいて含まれ得、そのため、シングルＲＢ４１０−ａのみを受信するＵＥは、広帯域送信においてシングルＲＢを占有する狭帯域送信を受信するときにデバイスディスカバリおよび同期化を実施し得る。上述されたように、ＣＲＳ ＲＥ４１５は、特定のＯＦＤＭシンボルにおいて存在し得、図４の例では、これらのＣＲＳ ＲＥ４１５は、ＰＳＳ ＲＥ４２５およびＳＳＳ ＲＥ４３０をパンクチャする。このようなパンクチャリング（puncturing）は、ＰＳＳ／ＳＳＳ同期化信号においていくつかの追加の干渉を生じさせ得る。他の例では、基地局は、ＭＢＳＦＮサブフレームとして第１のＲＢ４１０−ａを含むＰＳＳ／ＳＳＳサブフレームを構成し得、そのため、ＣＲＳは、そのサブフレームに存在しない。いくつかの例では、サブフレーム４１０は、ＭＢＳＦＮサブフレームとしてすでに構成され得、そのため、基地局がサブフレーム４１０を再構成する必要がなくとも、送信においてＣＲＳが存在しない。第２のＲＢ４１０−ｂは、ＰＢＣＨ ＲＥ４３５を含み得、それは、以下により詳細に論じられるように、いくつかの例にしたがって、ＤＭＲＳを使用して送信され得る。
【００８６】
[0100]  他の例では、基地局は、同期化信号を、それらがＣＲＳ ＲＥを含むＯＦＤＭシンボルにおいて送信されないように、マッピングし得る。図５は、本開示のさまざまな態様にしたがって狭帯域ワイヤレス通信のためのダウンリンクおよび同期化技術をサポートするリソースエレメントマッピング５００のこのような例を例示する。リソースエレメントマッピング５００は、狭帯域通信を使用して動作し得る図１、２を参照して説明された基地局１０５およびＵＥ１１５のようなワイヤレスネットワークデバイスによって使用され得る。
【００８７】
[0101]  図５の例では、サブフレーム５０５は、狭帯域ＲＢ５１０を含む、複数のＲＢを含み得る。この例では、ＣＲＳ ＲＥ５１５は、ＲＢ５１０のシンボル０、４、７および１１において再度位置を特定され得る。さらに、ＰＤＣＣＨ ＲＥ５２０は、ＲＢ５１０の最初の２個のシンボルにおいて提供され得る。いくつかの例にしたがえば、ＰＳＳ ＲＥ５２５は、それらがＣＲＳ ＲＥ５１５を含むシンボルにおいて送信されないように、マッピングされ得る。このような方法で、全同期化信号は、シングルＲＢにおいて含まれ得、そのため、シグナル（signal）ＲＢ５１０のみを受信するＵＥは、広帯域送信におけるシングルＲＢを占有する狭帯域送信を受信するときに、デバイスディスカバリおよび同期化を実施し得る。同様の方法で、ＳＳＳ ＲＥは、別個のＲＢにおいて送信され、ＣＲＳ ＲＥ５１５を含むシンボルを回避するためにマッピングされ得る。いくつかの例では、ＰＳＳ／ＳＳＳに関わる異なる設計が、帯域内および帯域外の狭帯域通信に提供され、ここにおいて帯域内の狭帯域通信は、ＣＲＳ ＲＥを回避するためにマッピングされる同期化信号を有し、ここにおいてスタンドアロン狭帯域通信は、連続したＯＦＤＭシンボルを占有する同期化信号を有する。かくして、ＵＥは、同期化信号を受信した後に狭帯域通信がスタンドアロン周波数帯域にあるか、帯域内にあるかを認識することが可能である。
【００８８】
[0102]  図６は、本開示のさまざまな態様にしたがって、狭帯域ワイヤレス通信のためのダウンリンクおよび同期化技術をサポートする、広帯域送信の送信帯域幅内の狭帯域領域、および別の割り当てられた周波数帯域における狭帯域領域の例６００を例示する。例６００は、狭帯域通信を使用して動作し得る図１、２を参照して説明された基地局１０５およびＵＥ１１５のような、ワイヤレスネットワークデバイスによって使用され得る。
【００８９】
[0103]  図６の例では、ＬＴＥシステム帯域幅６２０は、制御領域６０５、広帯域データ領域６１０、および第１の狭帯域領域６１５−ａを含み得る。第２の狭帯域領域６１５−ｂは、スタンドアロン狭帯域通信のために提供され得、例えば、ＧＳＭ通信のために割り当てられた帯域幅のような、いくつかの他の帯域幅６２５において位置を特定され得る。
【００９０】
[0104]  いくつかの例では、第1の狭帯域領域６１５−ａは、広帯域データ領域６１０のシングルＲＢ（例えば１２個のサブキャリア）を占有し得る。１つの例では、（例えば、２０ＭＨｚのキャリアに関して、）広帯域データ領域６１０は、１００ＲＢ（１２００個のサブキャリア）を含み得る。特定の狭帯域領域６１５−ａまたは６１５−ｂは、さまざまな展開パラメータ（deployment parameter）、例えば、２つ例を挙げると、ＬＴＥシステム帯域幅６２０外にある１つまたは複数の周波数帯域の利用可能性、他のデバイスによるＬＴＥシステム帯域幅６２０の使用、に基づいて狭帯域通信のために構成され得る。いくつかの例では、基地局は、狭帯域領域６１５−ａまたは６１５−ｂが広帯域帯域幅内にあるかどうかのインジケーションをＵＥに提供し得る。このようなインジケーションは、（例えば、ＭＩＢ／ＳＩＢ上での送信により）いくつかのオーバーヘッドを生じさせ得るが、いくつかの設計オプションを有効にする。例えば、狭帯域領域６１５−ａまたは６１５−ｂが広帯域帯域幅内にあるかどうかの認識により周波数ホッピングが有効になり得、ここにおいて、狭帯域通信を使用する基地局およびＵＥは、アップリンクとダウンリンクとの両方でリチューン（retune）することによって、周波数ダイバーシティを達成し得る。さらに、このような認識は、ＣＲＳのトーンの再利用を有効にし得る。例えば、ＵＥが狭帯域ＲＢの広帯域帯域幅内の位置を認識する場合、広帯域ＣＲＳトーンは、追跡／復調のために再利用されることができる。ＣＲＳがスタンドアロンでは使用されない（例えば、すべてのチャネルおよびループがＤＭＲＳに基づく）場合、ＵＥは、例えば、レートマッチングの目的で、ＣＲＳが存在するか否かの認識によって利益を得うる。
【００９１】
[0105]  いくつかの例では、ＣＲＳトーンの存在を認識することが、レートマッチングの目的で使用され得る。例えば、ＣＲＳを有していないセルは、データおよび制御の送信のためにＣＲＳトーンを使用し得、一方で、ＣＲＳ送信を有するセルは、ＣＲＳトーンの周りで制御およびデータをレートマッチングし得る。さらに、または代替として、基地局は、ＣＲＳポートの数についての情報を提供し得る。例えば、スタンドアロンモードで動作する基地局は、０個のＣＲＳポートを有するようにシグナリングすることができる。帯域内の展開に関しては、基地局は、ＣＲＳアンテナポートの実際の数（例えば、１、２、または４）をシグナリングし得る。ガードバンドの展開に関しては、基地局は、ＣＲＳアンテナポートの実際の数、または０個のＣＲＳポートをシグナリングし得る。ＣＲＳポートの数についての情報は、ｅＮＢによってブロードキャストされ得る。１つの例では、ＣＲＳポートの数についての情報は、ＭＩＢまたはＳＩＢに含まれることができる。別の例では、ＣＲＳポートの数についての情報は、アンテナポートの数に依存して異なるシーケンスによってＰＢＣＨ ＣＲＣをスクランブリング（scrambling）することによって送信されることができる。このような場合では、０個のＣＲＳポートのために使用されるスクランブリングシーケンスはまた、展開モード（deployment mode）がスタンドアロン（standalone）であることを暗示し得る。
【００９２】
[0106]  いくつかの例では、基地局は、広帯域帯域幅内で使用される狭帯域領域のＲＢインデックス、および、ＬＴＥシステム帯域幅６２０の広帯域帯域幅を含み得るＵＥへのインジケーションを、提供し得る。２０ＭＨｚ帯域幅が想定される場合、狭帯域領域６１５−ａのＲＢインデックスは、９ビットを使用してシグナリングされ得、それは、いくつかの例では、狭帯域領域６１５−ａのためのオプションとしていくつかの利用可能なＲＢを除去することによって８ビットに減じられ得る。他の例では、基地局は、オフセットを単純にシグナリングし得、それは、（２０ＭＨｚ ＬＴＥシステム帯域幅６２０を想定して、）７ビットを使用してシグナリングされ得る。ＵＥは、このようなインジケーションを受信し、狭帯域送信を受信するために１つまたは複数の同期化パラメータを識別し得、いくつかの例では、インジケーションに含まれるリソースブロックオフセット値およびセルＩＤに基づいて、ＣＲＳシーケンスを生成し得る。さらなる例では、基地局は、１または２ビットを使用して、いくつかの場合では複数の送信アンテナを、およびＣＲＳトーンの存在または不在を通じてインジケーションを、提供し得る。この情報を決定した後に、ＵＥは、ＣＲＳトーンの周りでレートマッチングし得るが、ループまたはチャネル推定に関してはＣＲＳを利用することができない場合がある。いくつかの例では、狭帯域領域６１５−ａがＬＴＥシステム帯域幅６２０内にあるかどうかのシグナリングは、ＭＩＢ／ＳＩＢ送信に含まれ得る。
【００９３】
[0107]  上述されたように、いくつかの例では、狭帯域送信を使用するＰＢＣＨ送信が送信され得、本開示のいくつかの態様は、ＵＥがこのようなＰＢＣＨ送信を復調するためにＣＲＳを使用する必要がないことを提供する。いくつかの例では、ＰＢＣＨ送信は、ＤＭＲＳベースであり得、そのため送信を受信するＵＥは、ＰＢＣＨ送信を復調するためにＣＲＳを受信する必要がない。いくつかの例では、ＭＩＢが最初に復号された後にＣＲＳトーンがＵＥによってチャネル推定のために再利用されることができるように、ＰＢＣＨ送信のための（１つまたは複数の）プリコーディング（precoding）が固定され得る。他の例では、ＰＢＣＨ送信は、ＭＢＳＦＮサブフレームにおいて送信され得、したがって、ＣＲＳトーンが存在しない。特定の例では、ＣＲＳトーンは、ゼロのオフセットでインサートされ得、それは、ＵＥが強化された追跡／復調を実施することを可能にし得る。さらなる例では、ＰＢＣＨ復号は、狭帯域送信の周波数帯域に依存し得る。例えば、狭帯域送信周波数帯域がＧＳＭスペクトルに割り当てられる場合、ＵＥは、狭帯域送信が広帯域送信帯域幅外のスタンドアロン送信であることを決定し得、そのためＣＲＳ（またはＣＲＳ＋ＤＭＲＳ）は、ＰＢＣＨ送信の最初の獲得から使用されることができる。例えば、狭帯域送信の周波数帯域がＬＴＥシステム帯域幅内に割り当てられる場合、ＵＥは、ＰＢＣＨがＭＢＳＦＮサブフレームにおいて、またはＤＭＲＳを使用して送信されることを認識し得る。この情報は、いくつかの例にしたがえば、ＵＥにおいてあらかじめプログラムされることができる。
【００９４】
[0108]  図７は、本開示のさまざまな態様にしたがって、狭帯域送信および広帯域送信のための異なる中心周波数サブキャリアの例７００を例示する。例７００は、狭帯域通信を使用して動作し得る図１、２を参照して説明された基地局１０５およびＵＥ１１５のような、ワイヤレスネットワークデバイスによって使用され得る。
【００９５】
[0109]  図７の例では、広帯域送信７０５は、０の周波数オフセットを有する、中心周波数、またはＤＣサブキャリア、７２０−ａで、複数のサブキャリアを使用して送信され得る。このようなＤＣサブキャリア７１０−ａは、データ送信のために使用されず、ＵＥおよび基地局の両方が、ＤＣサブキャリア７２０−ａがデータ送信のために使用されないように構成され得る。狭帯域送信７１０では、しかしながら、ＭＴＣ ＵＥは、狭帯域通信を受信するように構成され得、ＤＣサブキャリア７２０−ｂは、ＤＣサブキャリア７２０−ａからオフセットされ得る。かくして、帯域内の展開に関しては、狭帯域ＵＥがＤＣサブキャリア７２０−ｂを受信することは、基地局がＤＣサブキャリア７２０−ａを送信することに一致しない。かくして、帯域内の展開に関しては、ＤＣリーク（leakage）が、ＲＢに関わる１のトーンを除去し得、それは、１／１２のトーンがデータのために使用されないことを意味する。スタンドアロンの展開に関しては、中心サブキャリアが使用されない状態では、ＲＢに１３個のサブキャリア（全帯域幅における１９５ｋＨｚ）が提供され得るが、このようなオフセットは存在し得ない。
【００９６】
[0110]  帯域内の展開に関しては、いくつかの例では、ＵＥは、ＤＣサブキャリアＲＥ７２０−ｂを単に失い得る。このような例では、ＵＥは、それがキャリアを失っていることを基地局にシグナリングし得、基地局は、ＤＣサブキャリアＲＥ７２０−ｂの周りでレートマッチングし、他のトーンをパワーブーストし得る。他の例では、ＵＥは、ＤＣリークが主に２つの中心サブキャリアの間で分割されるように、受信端（receive end）においてハーフトーンシフト（half-tone shift）を適用し得る。さらなる例では、スタンドアロン展開に関しては、基地局は、サブキャリアの半分のオフセットでデジタル波形を生成し、そのオフセットを考慮に入れるために送信されたローカルオシレータ（local oscillator）を調整し得、その場合において、ＤＣの影響は、中心の２つのサブキャリアによって主に受けられる。
【００９７】
[0111]  いくつかの例にしたがって、同期化信号のための波形は、良好な相互相関プロパティ（cross-correlation property）を提供するために生成され得る。いくつかの例では、ＰＳＳ波形は、Zadoff-Chuシーケンスを使用して生成され得る。上述されたように、いくつかの狭帯域展開では、ＰＳＳは、１８０ｋＨｚおよび６個のＯＦＤＭシンボルを使用し得る。ＯＦＤＭシンボルに関しては、短いＣＰで、約７７個のＤＦＴサンプルが存在する。そのため、次の素数は、Zadoff-Chuシーケンスの目的で、７９である。図８Ａ乃至８Ｃは、本開示のさまざまな態様にしたがって狭帯域ワイヤレス通信のためのダウンリンクおよび同期化技術をサポートするシーケンス生成（sequence generation）の例を例示する。
【００９８】
[0112]  波形生成プロセス（waveform generation process）において、いくつかの例にしたがえば、長さ７９のZadoff-Chuシーケンスが生成され得る。このような長さ７９のZadoff-Chuシーケンスは、図８Ａの例８００に例示されている。いくつかの例では、シーケンスは、異なって符号化され得る。長さ７９のZadoff-Chuシーケンスが生成された後に、シーケンスは、長さ８２２の離散逆フーリエ変換（ＩＤＦＴ：inverse discrete Fourier transform）を使用して補間され、図８Ｂのオーバーサンプリングされた時間ドメイン波形８２０を生成する（８２２は、１．９２ＭＨｚにおけるサンプルの数である）。そして、オーバーサンプリングされた時間ドメイン波形は、各々長さ１３７の６個の部分に分割される。各部分には、対応するＣＰによる再配置のために、最初の９個のサンプルが廃棄され得る。残りの１２８のサンプルは、周波数ドメインにおいてあらかじめ処理され、ここにおいて、（１）長さ１２８ＦＦＴが適用される、（２）周波数ドメインにおけるウィンドウイングが１２個の中心サブキャリアのみを維持するために適用される（図８Ｃ）、および、（３）長さ１２８ＩＦＦＴが時間ドメイン信号８４０を生成するために適用される。これに続いて、通常のＤＦＴ処理、例えば、ＩＤＦＴおよびＣＰ追加、が実施され得る。図９は、図８Ａ乃至８Ｃにしたがって生成される典型的なシーケンスの自己相関特性（auto-correlation property）の例９００を例示する。
【００９９】
[0113]  図１０は、本開示のさまざまな態様にしたがって狭帯域ワイヤレス通信のためのダウンリンクおよび同期化技術のためのプロセスフロー１０００の例を例示する。プロセスフロー１０００は、ＵＥ１１５−ｂおよび基地局１０５−ｂを含み得、それらは、図１および２を参照して説明されたＵＥ１１５および基地局１０５の例であり得る。
【０１００】
[0114]  最初に、ブロック１００５において、基地局１０５−ｂは、図１乃至９に関して上述されたように、同期化信号を生成し得る。ブロック１０１０において、基地局１０５−ｂは、ＯＦＤＭシンボルに同期化信号を選択的にマッピングし得る。例えば、基地局１０５−ｂは、ＣＲＳを含むＯＦＤＭシンボルが同期化信号の送信のために使用されないように同期化信号をマッピングし得る。ブロック１０１５において、基地局１０５−ｂは、同期化信号送信のために使用されるサブフレームを選択的に構成し得る。例えば、基地局１０５−ｂは、サブフレームがＣＲＳ送信を含まないように、ＭＢＳＦＮサブフレームとしてサブフレームを構成し得る。別の例では、基地局１０５−ｂは、広帯域内で動作する場合にはＯＦＤＭシンボルに同期化信号をマッピングし、スタンドアロンモードで動作する場合には生のオーバーサンプリングされた同期化信号（raw oversampled synchronization signal）（例えば、図８Ｂの信号８２０）を送信し得る。そして基地局１０５−ｂは、ＵＥ１１５−ｂに信号１０２０を送信し得る。
【０１０１】
[0115]  ＵＥ１１５−ｂにおいて、同期化信号は、ブロック１０２５において受信され得る。ブロック１０３０において、ＵＥ１１５−ｂは、送信の狭帯域領域および関連付けられた復号技術を識別し得る。このような狭帯域領域は、広帯域送信で、帯域内にある帯域内領域として、または、帯域外領域として、識別され得、復号技術は、図１乃至９に関連して上述されたように、このような識別に基づいて選択され得る。ブロック１０３５において、ＵＥ１１５−ｂは、受信された信号を復号し得る。
【０１０２】
[0116]  図１１は、本開示のさまざまな態様にしたがって狭帯域ワイヤレス通信のためのダウンリンクおよび同期化技術のためのプロセスフロー１１００の例を例示する。プロセスフロー１１００は、ＵＥ１１５−ｃおよび基地局１０５−ｃを含み得、それらは、図１、２または１０を参照して説明されたＵＥ１１５および基地局１０５の例であり得る。
【０１０３】
[0117]  最初に、ブロック１１０５において、基地局１０５−ｃは、上述されたように、狭帯域ＲＢ位置、例えば、広帯域送信帯域幅内、または別個のスタンドアロン帯域幅における位置、を識別し得る。ブロック１１１０において、基地局１０５−ｃは、広帯域帯域幅内のＲＢオフセットおよび全広帯域帯域幅を選択的に識別し得る。他の例では、基地局１０５−ｃは、全広帯域帯域幅なしでＲＢオフセットを識別し得る。ブロック1１１５において、基地局１０５−ｃは、狭帯域ＲＢ情報でＭＩＢ／ＳＩＢを構成し得る。基地局１０５−ｃは、ＵＥ１１５−ｃにＭＩＢ／ＳＩＢ１１２０を送信し得る。ブロック１１２５において、ＵＥ１１５−ｃは、上述されたような方法で、ＭＩＢ／ＳＩＢを受信し、同期化パラメータを識別し得る。そして基地局１０５−ｃは、狭帯域信号を送信し得１１３０、ＵＥ１１５−ｃは、ブロック１１３５において、信号を受信および復号し得る。
【０１０４】
[0118]  図１２は、本開示のさまざまな態様にしたがって狭帯域ワイヤレス通信のためのダウンリンクおよび同期化技術のためのプロセスフロー１２００の例を例示する。プロセスフロー１２００は、ＵＥ１１５−ｄおよび基地局１０５−ｄを含み得、それらは、図１、２または１０、１１を参照して説明されたＵＥ１１５および基地局１０５の例であり得る。
【０１０５】
[0119]  最初に、ブロック１２０５において、基地局１０５−ｄは、ＰＢＣＨ信号を生成し得る。基地局１０５−ｄは、ブロック１２１０において、図１乃至９を参照して上述されたように、ＤＭＲＳを使用してＰＢＣＨ信号を選択的に、変調し得る。ブロック１２１５において、基地局１０５−ｄは、上述されたように、ＭＢＳＦＮサブフレームとしてＰＢＣＨ信号を送信するようにサブフレームを選択的に構成し得る。基地局１０５−ｄは、ＰＢＣＨ信号１２２０を送信し得る。ＵＥ１１５−ｄは、ブロック１２２５にしたがって、狭帯域送信の周波数帯域を識別し得る。ブロック１２３０において、ＵＥ１１５−ｄは、周波数帯域の識別に基づいて復号技術を選択し得る。ブロック１２３５において、ＵＥ１１５−ｄは、図１乃至９に関して上述されたように、受信された信号を復号し得る。
【０１０６】
[0120]  図１３は、本開示のさまざまな態様にしたがって狭帯域ワイヤレス通信のためのダウンリンクおよび同期化技術のためのプロセスフロー１３００の例を例示する。プロセスフロー１３００は、ＵＥ１１５−ｅおよび基地局１０５−ｅを含み得、それらは、図１、２または図１０乃至１２を参照して説明されたＵＥ１１５および基地局１０５の例であり得る。ブロック１３０５において、基地局１０５−ｅは、狭帯域送信のためのＤＣサブキャリアを識別し得る。そして基地局１０５−ｅは、ブロック１３１０において、図１乃至９を参照して上述されたように、他のサブキャリアを（例えば、レートマッチングまたはパワーブーストによって）修正し得る。基地局１０５−ｅは、ＵＥ１１５−ｅに狭帯域信号１３２０を送信し得る。同様に、ＵＥ１１５−ｅは、ブロック１３２５に示されるように、狭帯域送信のためのＤＣサブキャリアを識別し得る。そしてＵＥ１１５−ｅは、ブロック１３３０において、図１乃至９を参照して上述されたように、他のサブキャリアの処理を（例えば、周波数偏移またはパワーブーストによって）修正し得る。ＵＥ１１５−ｅは狭帯域送信１３２０を受信し、ブロック１３３５において、受信された信号を復号し得る。
【０１０７】
[0121]  図１４は、本開示のさまざまな態様にしたがって狭帯域ワイヤレス通信のためのダウンリンクおよび同期化技術のために構成されたワイヤレスデバイス１４００のブロック図を示す。ワイヤレスデバイス１４００は、図１乃至１３を参照して説明されたＵＥ１１５の態様の例であり得る。ワイヤレスデバイス１４００は、受信機１４０5、狭帯域通信モジュール（narrowband communication module）１４０−ａ、または送信機１４１５を含み得る。狭帯域通信モジュール１４０−ａは、図１を参照して説明されたＵＥ狭帯域通信モジュール１４０の例であり得る。ワイヤレスデバイス１４００はまた、プロセッサを含み得る。これらのコンポーネントの各々は、互いに通信状態にあり得る。
【０１０８】
[0122]  受信機１４０５は、さまざまな情報チャネル（例えば、制御チャネル、データチャネルおよび狭帯域ワイヤレス通信のためのダウンリンクおよび同期化技術に関わる情報など）に関連付けられた、パケット、ユーザデータ、または制御情報のような情報を受信し得る。情報は、狭帯域通信モジュール１４０−ａに、およびワイヤレスデバイス１４００の他のコンポーネントに、伝えられ得る。
【０１０９】
[0123]  狭帯域通信モジュール１４０−ａは、デバイスディスカバリのための同期化信号を受信し、同期化信号は狭帯域領域において送信されるシングルリソースブロック内の２つ以上のＯＦＤＭシンボルを備える、同期化信号に少なくとも部分的に基づいて狭帯域領域における送信の１つまたは複数のパラメータを同期化し得る。
【０１１０】
[0124]  送信機１４１５は、ワイヤレスデバイス１４００の他のコンポーネントから受信された信号を送信し得る。いくつかの例では、送信機１４１５は、トランシーバモジュールで受信機１４０５とコロケート（collocate）され得る。送信機１４１５は、単一のアンテナを含み得るか、またはそれが複数のアンテナを含み得る。
【０１１１】
[0125]  図１５は、本開示のさまざまな態様にしたがって狭帯域ワイヤレス通信のためのダウンリンクおよび同期化技術のためのワイヤレスデバイス１５００のブロック図を示す。ワイヤレスデバイス１５００は、図１乃至１４を参照して説明されたＵＥ１１５またはワイヤレスデバイス１４００の態様の例であり得る。ワイヤレスデバイス１５００は、受信機１４０５−ａ、狭帯域通信モジュール１４０−ｂ、または送信機１４１５−ａを含み得る。ワイヤレスデバイス１５００はまた、プロセッサを含み得る。これらのコンポーネントの各々は、互いに通信状態にあり得る。狭帯域通信モジュール１４０−ｂはまた、同期化信号モジュール（synchronization signal module）１５０５、および同期化モジュール（synchronization module）１５１０を含み得る。
【０１１２】
[0126]  受信機１４０５−ａは、狭帯域通信モジュール１４０−ｂに、およびワイヤレスデバイス１５００の他のコンポーネントに伝えられ得る情報を受信し得る。狭帯域通信モジュール１４０−ｂは、図１４を参照して説明された動作（operation）を実施し得る。送信機１４１５−ａは、ワイヤレスデバイス１５００の他のコンポーネントから受信された信号を送信し得る。
【０１１３】
[0127]  同期化信号モジュール１５０５は、デバイスディスカバリのための同期化信号を受信し得、図２乃至１３を参照して説明されたように、同期化信号は、狭帯域領域において送信されるシングルリソースブロック内の２つ以上のＯＦＤＭシンボルを備える。いくつかの例では、同期化信号は、ＰＳＳまたはＳＳＳのうちの１つまたは複数を備える。いくつかの例では、同期化信号を生成することは、シングルリソースブロックにおける複数のＯＦＤＭシンボルに少なくとも部分的に基づいて時間ドメインまたは周波数ドメインにおけるシーケンスを生成することを備える。
【０１１４】
[0128]  同期化モジュール１５１０は、図２乃至１３を参照して説明されたように、同期化信号に少なくとも部分的に基づいて狭帯域領域における送信の１つまたは複数のパラメータを同期化し得る。同期化モジュール１５１０はまた、インジケーションに少なくとも部分的に基づいて狭帯域送信を受信するための１つまたは複数の同期化パラメータを識別し得る。いくつかの例では、１つまたは複数の同期化パラメータを識別することは、インジケーションに含まれるリソースブロックオフセット値および送信機のセル識別に少なくとも部分的に基づいてＣＲＳシーケンスを生成することを備える。
【０１１５】
[0129]  図１６は、本開示のさまざまな態様にしたがって、狭帯域ワイヤレス通信のためのダウンリンクおよび同期化技術のためのワイヤレスデバイス１５００、またはワイヤレスデバイス１４００のコンポーネントであり得る狭帯域通信モジュール１４０−ｃのブロック図１６００を示す。狭帯域通信モジュール１４０−ｃは、図１４、１５を参照して説明された狭帯域通信モジュール１４０−ａの態様の例であり得る。狭帯域通信モジュール１４０−ｃは、同期化信号モジュール１５０５−ａ、および同期化モジュール１５１０−ａを含み得る。これらのモジュールの各々は、図１５を参照して説明された機能を実施し得る。狭帯域通信モジュール１４０−ｃはまた、狭帯域決定モジュール（narrowband determination module）１６０５、時間ドメイン補間モジュール（time domain interpolation module）１６１０、ＲＢロケーションモジュール（RB location module）１６１５、デバイスディスカバリモジュール（device discovery module）１６２０、復号技術モジュール（decoding technique module）１６２５、サブキャリア識別モジュール（subcarrier identification module）１６３０、中心周波数識別モジュール（center frequency identification module）１６３５、およびレートマッチングモジュール（rate matching module）１６４０を含み得る。
【０１１６】
[0130]  狭帯域決定モジュール１６０５は、図２乃至１３を参照して決定されたように同期化信号のフォーマットに少なくとも部分的に基づいて、狭帯域領域が１つまたは複数の広帯域送信の帯域幅内にあるかどうかを決定し得る。いくつかの例では、決定することは、同期化信号がシングルリソースブロック内の連続したＯＦＤＭシンボルでフォーマット化されることに応答して、狭帯域領域が１つまたは複数の広帯域送信の帯域幅内にあることを識別することを備える。狭帯域決定モジュール１６０５はまた、同期化信号がシングルリソースブロック内の１つまたは複数の非連続的なＯＦＤＭシンボルでフォーマット化されることに応答して、狭帯域領域が１つまたは複数の広帯域送信の帯域幅外にあることを識別し得る。狭帯域決定モジュール１６０５はまた、狭帯域領域が１つまたは複数の広帯域送信の帯域幅内にあるかどうかを、識別された周波数帯域に少なくとも部分的に基づいて、決定し得る。いくつかの例では、狭帯域領域が１つまたは複数の広帯域送信の帯域幅内にあり得るかどうかを決定することは、識別された周波数帯域に関連付けられた無線アクセス技術に少なくとも部分的に基づき得る。いくつかの例では、狭帯域領域が１つまたは複数の広帯域送信の帯域幅内にあり得るかどうかを決定することは、識別された周波数帯域がＧＳＭ通信に割り当てられた無線スペクトルにおいて位置を特定されることに応答して、狭帯域領域が１つまたは複数の広帯域送信の帯域幅外にあり得ることを決定することを備える。狭帯域決定モジュール１６０５はまた、識別された周波数帯域がＬＴＥ通信に割り当てられた無線スペクトルにおいて位置を特定されることに応答して、狭帯域領域が１つまたは複数の広帯域送信の帯域幅内にあることを決定し得る。
【０１１７】
[0131]  時間ドメイン補間モジュール１６１０は、図２乃至１３を参照して説明されたように、第１のシーケンスのサンプルのセットに少なくとも部分的に基づいて、第１のシーケンスの補間時間ドメインバージョンを生成し得る。いくつかの例では、同期化信号を生成することは、１つのＯＦＤＭシンボルの持続時間を各々有する複数の部分に補間時間ドメインバージョンを分割することをさらに備える。時間ドメイン補間モジュール１６１０はまた、関連付けられたＯＦＤＭシンボルに関連付けられたサイクリックプレフィクスに対応する各部分のためのサンプルのサブセットを識別し得る。時間ドメイン補間モジュール１６１０はまた、各部分のためのサンプルの識別されたサブセットを除去し得る。時間ドメイン補間モジュール１６１０はまた、各部分にサイクリックプレフィクスをインサートし得る。いくつかの例では、同期化信号を生成することは、ＯＦＤＭサブキャリアのサブセットのみが同期化シーケンスを搬送するように周波数ドメインにおいて各ＯＦＤＭシンボルをウィンドウイングすることをさらに備える。
【０１１８】
[0132]  ＲＢロケーションモジュール１６１５は、狭帯域送信のためのシングルリソースブロックの位置のインジケーションを受信し得、図２乃至１３を参照して説明されたように、シングルリソースブロックは、システム帯域幅の広帯域領域内にある。いくつかの例では、インジケーションは、システム帯域幅の全広帯域帯域幅と、シングルリソースブロックの位置を示すリソースブロックインデックスとを備える。いくつかの例では、インジケーションは、ＭＩＢまたはＳＩＢのうちの１つまたは複数において送信され得る。
【０１１９】
[0133]  デバイスディスカバリモジュール１６２０は、図２乃至１３を参照して説明されたようにデバイスディスカバリに関わるシステム情報を含むＰＢＣＨの送信のためのシステム帯域幅の狭帯域領域の周波数帯域を識別し得る。
【０１２０】
[0134]  復号技術モジュール１６２５は、図２乃至１３を参照して説明されたように、狭帯域領域の識別された周波数帯域に少なくとも部分的に基づいてＰＢＣＨを復号するための復号技術を選択し得る。いくつかの例では、ＰＢＣＨを復号するための復号技術を選択することは、狭帯域領域が１つまたは複数の広帯域送信の帯域幅外にあり得ることを決定することに応答して、ＣＲＳベースの復号技術を選択することを備える。復号技術モジュール１６２５はまた、狭帯域領域が１つまたは複数の帯域幅送信の帯域幅内にあることを決定することに応答して、ＤＭＲＳベースの復号技術を選択し得る。
【０１２１】
[0135]  サブキャリア識別モジュール１６３０は、図２乃至１３を参照して説明されたように、リソースブロックを送信するために使用されるシステム帯域幅の狭帯域領域内の複数のサブキャリアを識別し得る。サブキャリア識別モジュール１６３０はまた、中心周波数サブキャリアの識別に少なくとも部分的に基づいて複数のサブキャリアのうちの１つまたは複数の他のサブキャリアを修正し得る。いくつかの例では、１つまたは複数の他のサブキャリアを修正することは、中心周波数サブキャリアがデータ送信のために使用されるべきでないことのインジケーションを受信することを備える。いくつかの例では、１つまたは複数の他のサブキャリアを修正することは、中心周波数サブキャリア以外の複数のサブキャリアのうちの１つまたは複数をパワーブーストすることをさらに備える。いくつかの例では、１つまたは複数の他のサブキャリアを修正することは、中心周波数サブキャリア以外の複数のサブキャリアのうちの１つまたは複数に周波数偏移を適用することを備える。いくつかの例では、１つまたは複数の他のサブキャリアを修正することは、サブキャリア周波数帯域幅の半分の周波数偏移に対応したオフセットでデジタル波形を生成することを備える。サブキャリア識別モジュール１６３０はまた、デジタル波形のオフセットに少なくとも部分的に基づいて送信オシレータを調整し得る。
【０１２２】
[0136]  中心周波数識別モジュール１６３５は、図２乃至１３を参照して説明されたように、リソースブロックを送信するために使用される複数のサブキャリアの中心周波数サブキャリアを識別し得る。レートマッチングモジュール１６４０は、図２乃至１３を参照して説明されたように、中心周波数サブキャリアの周りでデータ送信をレートマッチングし得る。
【０１２３】
[0137]  図１７は、本開示のさまざまな態様にしたがって狭帯域ワイヤレス通信のためのダウンリンクおよび同期化技術のために構成されたＵＥ１１５を含むシステム１７００の図を示す。システム１７００は、ＵＥ１１５−ｆを含み得、図１、２、および１０乃至１６を参照して説明されたワイヤレスデバイス１４００、ワイヤレスデバイス１５００、またはＵＥ１１５の例であり得る。ＵＥ１１５−ｆは、狭帯域通信モジュール１７１０を含み得、それは、図１および１４乃至１６を参照して説明された狭帯域通信モジュール１４０の例であり得る。ＵＥ１１５−ｆはまた、ＭＴＣ通信を管理し得るＭＴＣモジュール１７２５を含み得る。ＵＥ１１５−ｆはまた、通信を送信するためのコンポーネントおよび通信を受信するためのコンポーネントを含む、双方向音声およびデータ通信のためのコンポーネントを含み得る。例えば、ＵＥ１１５−ｆは、基地局１０５−ｆと双方向に通信し得る。
【０１２４】
[0138]  ＵＥ１１５−ｆはまた、プロセッサ１７０５、およびメモリ１７１５（ソフトウェア（ＳＷ：software）１７２０を含む）、トランシーバ１７３５、および１つまたは複数のアンテナ１７４０を含み得、これらの各々は、（例えば、バス１７４５を介して）互いに間接的にまたは直接、通信し得る。上述されたように、トランシーバ１７３５は、（１つまたは複数の）アンテナ１７４０、または有線あるいは無線のリンクを介して、１つまたは複数のネットワークと双方向に通信し得る。例えば、トランシーバ１７３５は、基地局１０５または別のＵＥ１１５と双方向に通信し得る。トランシーバ１７３５は、パケットを変調し、変調されたパケットを送信のための（１つまたは複数の）アンテナ１７４０に提供し、そして（１つまたは複数の）アンテナ１７４０から受信されたパケットを復調するためのモデムを含み得る。ＵＥ１１５−ｆは、単一のアンテナ１７４０を含み得るが、ＵＥ１１５−ｆはまた、複数のワイヤレス送信を同時に送信または受信することが可能である複数のアンテナ１７４０を有し得る。
【０１２５】
[0139]  メモリ１７１５は、ランダムアクセスメモリ（ＲＡＭ）および読取専用メモリ（ＲＯＭ）を含み得る。メモリ１７１５は、実行されたとき、プロセッサ１７０５に、本書に説明されるさまざまな機能（例えば、狭帯域ワイヤレス通信のためのダウンリンクおよび同期化技術など）を実施させる命令を含む、コンピュータ可読、コンピュータ実行可能ソフトウェア／ファームウェアコード１７２０を記憶し得る。代替として、ソフトウェア／ファームウェアコード１７２０は、プロセッサ１７０５によって直接的に実行可能ではない場合もあるが、（例えば、コンパイルおよび実行されたとき）、コンピュータに、本書に説明される機能を実施させ得る。プロセッサ１７０５は、インテリジェントハードウェアデバイス（例えば、中央処理ユニット（ＣＰＵ）、マイクロコントローラ、特定用途向け集積回路（ＡＳＩＣ）など）を含み得る。
【０１２６】
[0140]  図１８は、本開示のさまざまな態様にしたがって狭帯域ワイヤレス通信のためのダウンリンクおよび同期化技術のために構成されたワイヤレスデバイス１８００のブロック図を示す。ワイヤレスデバイス１８００は、図１乃至１７を参照して説明された基地局１０５の態様の例であり得る。ワイヤレスデバイス１８００は、受信機１８０５、基地局狭帯域通信モジュール１４５−ａ、または送信機１８１５を含み得る。基地局狭帯域通信モジュール１４５−ａは、図１を参照して説明された基地局狭帯域通信モジュール１４５の例であり得る。ワイヤレスデバイス１８００はまた、プロセッサを含み得る。これらのコンポーネントの各々は、互いに通信状態にあり得る。
【０１２７】
[0141]  受信機１８０５は、さまざまな情報チャネル（例えば、制御チャネル、データチャネルおよび狭帯域ワイヤレス通信のためのダウンリンクおよび同期化技術に関わる情報など）に関連付けられた、パケット、ユーザデータ、または制御情報のような情報を受信し得る。情報は、基地局狭帯域通信モジュール１４５−ａに、およびワイヤレスデバイス１８００の他のコンポーネントに、伝えられ得る。
【０１２８】
[0142]  基地局狭帯域通信モジュール１４５−ａは、デバイスディスカバリのための同期化信号を生成し、同期化信号はシングルリソースブロック内の２つ以上のＯＦＤＭシンボルを備える、狭帯域領域において同期化信号を送信し得る。
【０１２９】
[0143]  送信機１８１５は、ワイヤレスデバイス１８００の他のコンポーネントから受信された信号を送信し得る。いくつかの例では、送信機１８１５は、トランシーバモジュールで受信機１８０５とコロケートされ得る。送信機１８１５は、単一のアンテナを含み得るか、またはそれが複数のアンテナを含み得る。
【０１３０】
[0144]  図１９は、本開示のさまざまな態様にしたがって狭帯域ワイヤレス通信のためのダウンリンクおよび同期化技術のためのワイヤレスデバイス１９００のブロック図を示す。ワイヤレスデバイス１９００は、図１乃至１８を参照して説明された基地局１０５またはワイヤレスデバイス１８００の態様の例であり得る。ワイヤレスデバイス１９００は、受信機１８０５−ａ、基地局狭帯域通信モジュール１４５−ｂ、または送信機１８１５−ａを含み得る。ワイヤレスデバイス１９００はまた、プロセッサを含み得る。これらのコンポーネントの各々は、互いに通信状態にあり得る。基地局狭帯域通信モジュール１４５−ｂはまた、同期化信号生成モジュール（synchronization signal generation module）１９０５、狭帯域同期化信号モジュール（narrowband synchronization signal module）１９１０、狭帯域領域ロケーションモジュール（narrowband region location module）１９１５、およびＰＢＣＨモジュール１９２０を含み得る。
【０１３１】
[0145]  受信機１８０５−ａは、基地局狭帯域通信モジュール１４５−ｂに、およびワイヤレスデバイス１９００の他のコンポーネントに伝えられ得る情報を受信し得る。基地局狭帯域通信モジュール１４５−ｂは、図１８を参照して説明された動作を実施し得る。送信機１８１５−ａは、ワイヤレスデバイス１９００の他のコンポーネントから受信された信号を送信し得る。
【０１３２】
[0146]  同期化信号生成モジュール１９０５は、デバイスディスカバリのための同期化信号を生成し得、図２乃至１３を参照して説明されたように、同期化信号は、シングルリソースブロック内の２つ以上のＯＦＤＭシンボルを備える。いくつかの例では、同期化信号は、ＰＳＳまたはＳＳＳのうちの１つまたは複数を備える。
【０１３３】
[0147]  狭帯域同期化信号モジュール１９１０は、図２乃至１３を参照して説明されたように、狭帯域領域において同期化信号を送信し得る。いくつかの例では、同期化信号は、連続したＯＦＤＭシンボルのセットにおいて送信され得る。いくつかの例では、狭帯域領域における同期化信号の送信は、ＭＢＳＦＮサブフレームとして事前に構成されるサブフレームにおいて同期化信号を送信することを備える。狭帯域同期化信号モジュール１９１０はまた、狭帯域領域が１つまたは複数の広帯域送信の帯域幅内にあるかどうかを識別し得る。狭帯域同期化信号モジュール１９１０はまた、選択されたＯＦＤＭシンボルを使用して同期化信号を送信し得る。
【０１３４】
[0148]  狭帯域領域ロケーションモジュール１９１５は、図２乃至１３を参照して説明されたように、シングルリソースブロックがシステム帯域幅の広帯域領域内にある場合に、システム帯域幅の狭帯域領域のロケーションを識別し得る。
【０１３５】
[0149]  ＰＢＣＨモジュール１９２０は、図２乃至１３を参照して説明されたように、狭帯域領域におけるデバイスディスカバリに関わるシステム情報の送信のためのＰＢＣＨ信号を生成し得る。ＰＢＣＨモジュール１９２０はまた、ＤＭＲＳに少なくとも部分的に基づいてＰＢＣＨ信号を変調し得る。ＰＢＣＨモジュール１９２０はまた、狭帯域領域において変調されたＰＢＣＨ信号を送信し得る。ＰＢＣＨモジュール１９２０はまた、デバイスディスカバリに関わるシステム情報の送信のためのＰＢＣＨ信号を生成し得、ＰＢＣＨ信号は、狭帯域領域において送信されるリソースブロックに含まれる。ＰＢＣＨモジュール１９２０はまた、ＭＢＳＦＮサブフレームにおいてＰＢＣＨ信号を送信し得る。
【０１３６】
[0150]  図２０は、本開示のさまざまな態様にしたがって、狭帯域ワイヤレス通信のためのダウンリンクおよび同期化技術のためのワイヤレスデバイス１９００、またはワイヤレスデバイス１８００のコンポーネントであり得る基地局狭帯域通信モジュール１４５−ｃのブロック図２０００を示す。基地局狭帯域通信モジュール１４５−ｃは、図１８および１９を参照して説明された基地局狭帯域通信モジュール１４５−ａの態様の例であり得る。基地局狭帯域通信モジュール１４５−ｃは、同期化信号生成モジュール１９０５−ａ、狭帯域同期化信号モジュール１９１０−ａ、狭帯域領域ロケーションモジュール１９１５−ａ、およびＰＢＣＨモジュール１９２０−ａを含み得る。これらのモジュールの各々は、図１９を参照して説明された機能を実施し得る。基地局狭帯域通信モジュール１４５−ｃはまた、ＣＲＳモジュール２００５、ＣＲＳシンボル識別モジュール（CRS symbol identification module）２０１０、シンボルマッピングモジュール（symbol mapping module）２０１５、ＭＢＳＦＮモジュール２０２０、狭帯域インジケーションモジュール（narrowband indication module）２０２５、およびＰＭＩモジュール２０３０を含み得る。
【０１３７】
[0151]  ＣＲＳモジュール２００５は、図２乃至１３を参照して説明されたように連続したＯＦＤＭシンボルのセットをパンクチャする１つまたは複数のＲＥを使用してＣＲＳを送信し得る。ＣＲＳモジュール２００５は、いくつかの例では、システム帯域幅の狭帯域領域における変調されたＰＢＣＨ信号、または、他の送信のうちの１つまたは複数においてＣＲＳを送信し得、図２乃至１３を参照して説明されたように、チャネル推定における使用のためのＣＲＳは、１つまたは複数の受信機である。基地局ＣＲＳモジュール２００５はまた、リソースブロックにおいてＣＲＳを送信し得る。いくつかの例では、ＣＲＳは、ゼロのリソースブロックオフセットを想定して生成され得る。いくつかの例では、ＣＲＳは、リソースブロック内の１つまたは複数のＯＦＤＭシンボルにおいて送信され得、ここにおいて１つまたは複数のＯＦＤＭシンボルは、リソースブロック内に固定のオフセット（offset）を有する。
【０１３８】
[0152]  ＣＲＳシンボル識別モジュール２０１０は、図２乃至１３を参照して説明されたように、１つまたは複数のＣＲＳ ＲＥを含むＣＲＳ ＯＦＤＭシンボルとしてシングルリソースブロック内の１つまたは複数のＯＦＤＭシンボルを識別し得る。シンボルマッピングモジュール２０１５は、図２乃至１３を参照して説明されたように、非ＣＲＳ ＯＦＤＭシンボルに同期化信号を含むＯＦＤＭシンボルをマッピングし得る。ＭＢＳＦＮモジュール２０２０は、図２乃至１３を参照して説明されたように、ＭＢＳＦＮサブフレームとして同期化信号を含むサブフレームを構成し得る。ＭＢＳＦＮモジュール２０２０はまた、ＭＢＳＦＮサブフレームとしてリソースブロックを含むサブフレームを識別し得る。
【０１３９】
[0153]  狭帯域インジケーションモジュール２０２５は、図２乃至１３を参照して説明されたように、狭帯域領域が１つまたは複数の広帯域送信の帯域幅内にあるかどうかを１つまたは複数の受信機に示し得る。いくつかの例では、狭帯域領域が１つまたは複数の広帯域送信の帯域幅内にあり得るかどうかを１つまたは複数の受信機に示すことは、狭帯域領域が１つまたは複数の広帯域送信の帯域幅内にあり得るかどうかに少なくとも部分的に基づいて送信のためのシングルリソースブロック内のＯＦＤＭシンボルを選択することを備える。狭帯域インジケーションモジュール２０２５はまた、システム帯域幅の広帯域領域内のシングルリソースブロックの位置のインジケーションを送信し得る。いくつかの例では、インジケーションは、システム帯域幅の全広帯域帯域幅と、シングルリソースブロックの位置を示すリソースブロックインデックスとを備える。いくつかの例では、インジケーションは、システム帯域幅の広帯域帯域幅の開始からのリソースブロックオフセットを備える。いくつかの例では、インジケーションは、シングルリソースブロックに含まれる１つまたは複数のＣＲＳ ＲＥを備える。いくつかの例では、インジケーションは、ＭＩＢまたはＳＩＢのうちの１つまたは複数において送信され得る。
【０１４０】
[0154]  ＰＭＩモジュール２０３０は、図２乃至１３を参照して説明されたように、ＰＢＣＨ信号を変調することが、変調されたＰＢＣＨ信号の送信のためのプリコーディングマトリックスを選択することを含み得るように、構成され得る。ＰＭＩモジュール２０３０はまた、システム帯域幅における狭帯域領域において他の送信のための選択されたプリコーディングマトリックスを使用し得る。
【０１４１】
[0155]  図２１は、本開示のさまざまな態様にしたがって狭帯域ワイヤレス通信のためのダウンリンクおよび同期化技術のために構成された基地局１０５を含むシステム２１００の図を示す。システム２１００は、基地局１０５−ｇを含み得、それは、図１、２および１８乃至２０を参照して説明された基地局１０５、ワイヤレスデバイス１９００または、ワイヤレスデバイス１８００であり得る。基地局１０５−ｇは、基地局狭帯域通信モジュール２１１０を含み得、それは、図１８乃至２０を参照して説明された基地局狭帯域通信モジュール１４５−ａの例であり得る。基地局１０５−ｇはまた、通信を送信するためのコンポーネントおよび通信を受信するためのコンポーネントを含む、双方向音声およびデータ通信のためのコンポーネントを含み得る。例えば、基地局１０５−ｇは、ＵＥ１１５−ｇまたはＵＥ１１５−ｈと双方向に通信し得る。
【０１４２】
[0156]  いくつかの場合では、基地局１０５−ｇは、１つまたは複数の有線バックホールリンクを有し得る。基地局１０５−ｇは、コアネットワーク１３０への有線バックホールリンク（例えば、Ｓ１インターフェースなど）を有し得る。基地局１０５−ｇはまた、基地局間バックホールリンク（例えば、Ｘ２インターフェース）を介して、基地局１０５−ｈおよび基地局１０５−ｉのような、他の基地局１０５と通信し得る。基地局１０５の各々は、同じ、または異なるワイヤレス通信技術を使用してＵＥ１１５と通信し得る。いくつかの場合では、基地局１０５−ｇは、基地局通信モジュール（base station communication module）２１２５を使用して１０５−ｈまたは１０５−ｉのような他の基地局と通信し得る。いくつかの例では、基地局通信モジュール２１２５は、いくつかの基地局１０５間の通信を提供するために、ＬＴＥ／ＬＴＥ−Ａワイヤレス通信ネットワーク技術内のＸ２インターフェースを提供し得る。いくつかの例では、基地局１０５−ｇは、コアネットワーク１３０を通じて他の基地局と通信し得る。いくつかの場合では、基地局１０５−ｇは、ネットワーク通信モジュール２１３０を通じてコアネットワーク１３０と通信し得る。
【０１４３】
[0157]  基地局１０５−ｇは、プロセッサ２１０５、（ソフトウェア（ＳＷ）２１２０を含む）メモリ２１１５、トランシーバ２１３５、および（１つまたは複数の）アンテナ２１４０を含み得、それらは各々、（例えば、バスシステム２１４５上で）互いに、直接または間接的に、通信状態にあり得る。トランシーバ２１３５は、ＵＥ１１５と、（１つまたは複数の）アンテナ２１４０を介して、双方向で通信するように構成され得、それは、マルチモードデバイスであり得る。トランシーバ２１３５（または基地局１０５−ｇの他のコンポーネント）はまた、１つまたは複数の他の基地局と、アンテナ２１４０を介して、双方向で通信するように構成され得る。トランシーバ２１３５は、パケットを変調し、変調されたパケットを送信のためのアンテナ２１４０に提供し、アンテナ２１４０から受信されたパケットを復調するように構成されたモデムを含み得る。基地局１０５−ｇは、各々１つまたは複数の関連付けられたアンテナ２１４０を備えた、複数のトランシーバ２１３５を含み得る。トランシーバは、図１８の組み合わされた受信機１８０５および送信機１８１５の例であり得る。
【０１４４】
[0158]  メモリ２１１５は、ＲＡＭおよびＲＯＭを含み得る。メモリ２１１５はまた、実行される場合、プロセッサ２１１０に、本書に記載されたさまざまな機能（例えば、狭帯域ワイヤレス通信のためのダウンリンクおよび同期化技術、カバレージ増進技法（coverage enhancement technique）を選択すること、呼処理（call processing）、データベース管理、メッセージルーティングなど）を実施させるように構成された命令を含む、コンピュータ可読、コンピュータ実行可能なソフトウェアコード２１２０を記憶し得る。代替として、ソフトウェア２１２０は、プロセッサ２１０５によって直接的に実行可能ではないことがあり得るが、コンピュータに、例えば、コンパイルおよび実行されたときに、本書で説明される機能を実施させるように構成され得る。プロセッサ２１０５は、インテリジェントハードウェアデバイス、例えば、ＣＰＵ、マイクロコントローラ、ＡＳＩＣなどを含み得る。プロセッサ２１０５は、エンコーダ、キュー処理モジュール、ベースバンドプロセッサ、ラジオヘッドコントローラ、デジタルシグナルプロセッサ（ＤＳＰ）などのような、さまざまな特別用途のプロセッサを含み得る。
【０１４５】
[0159]  基地局通信モジュール２１２５は、他の基地局１０５との通信を管理し得る。いくつかの場合では、通信管理モジュールは、他の基地局１０５と連携してＵＥ１１５との通信を制御するためのコントローラまたはスケジューラを含み得る。例えば、基地局通信モジュール２１２５は、ビームフォーミングもしくはジョイント送信のようなさまざまな干渉緩和技法（interference mitigation technique）のために、ＵＥ１１５への送信のためのスケジューリングを調整し得る。
【０１４６】
[0160]  ワイヤレスデバイス１４００、ワイヤレスデバイス１５００、および狭帯域通信モジュール１４０−ａのコンポーネントは、個々にまたは集合的に、ハードウェア中で適用可能な機能のうちのいくつかまたは全てを実施するように適合された少なくとも１つのＡＳＩＣでインプリメントされ得る。代替として、機能は、少なくとも１つのＩＣ上で、１つまたは複数の他の処理ユニット（またはコア）によって実施され得る。他の例において、他のタイプの集積回路（例えば、構造化／プラットフォームＡＳＩＣ、フィールドプログラマブルゲートアレイ（ＦＰＧＡ）、または別の半カスタムＩＣ）が使用され得、それらは、当該技術分野において既知の任意の方法でプログラムされ得る。各ユニットの機能はまた、１つまたは複数の汎用または特定用途向けのプロセッサによって実行されるようにフォーマット化された、メモリにおいて具現化される命令で、全体的または部分的にインプリメントされ得る。
【０１４７】
[0161]  図２２は、本開示のさまざまな態様にしたがって狭帯域ワイヤレス通信のためのダウンリンクおよび同期化技術のための方法２２００を例示するフローチャートを示す。方法２２００の動作は、図１乃至２１を参照して説明されたように、ＵＥ１１５またはそれのコンポーネントによってインプリメントされ得る。例えば、方法２２００の動作は、図１および１４乃至１７を参照して説明されたように、狭帯域通信モジュール１４０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。
【０１４８】
[0162]  ブロック２２０５において、ＵＥ１１５は、デバイスディスカバリのための同期化信号を受信し得、図２乃至１３を参照して説明されたように、同期化信号は、狭帯域領域において送信されるシングルリソースブロック内の２つ以上のＯＦＤＭシンボルを備える。特定の例では、ブロック２２０５の動作は、図１５を参照して説明されたように、同期化信号モジュール１５０５によって実施され得る。
【０１４９】
[0163]  ブロック２２１０において、ＵＥ１１５は、図２乃至１３を参照して説明されたように、同期化信号に少なくとも部分的に基づいて狭帯域領域における送信の１つまたは複数のパラメータを同期化し得る。特定の例では、ブロック２２１０の動作は、図１５を参照して説明されたように、同期化モジュール１５１０によって実施され得る。
【０１５０】
[0164]  図２３は、本開示のさまざまな態様にしたがって狭帯域ワイヤレス通信のためのダウンリンクおよび同期化技術のための方法２３００を例示するフローチャートを示す。方法２３００の動作は、図１乃至２１を参照して説明されたように、ＵＥ１１５またはそれのコンポーネントによってインプリメントされ得る。例えば、方法２３００の動作は、図１および１４乃至１７を参照して説明されたように、狭帯域通信モジュール１４０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法２３００はまた、図２２の方法２２００の態様を組み込み得る。
【０１５１】
[0165]  ブロック２３０５において、ＵＥ１１５は、狭帯域送信のためのシングルリソースブロックの位置のインジケーションを受信し得、図２乃至１３を参照して説明されたように、シングルリソースブロックは、システム帯域幅の広帯域領域内にある。特定の例では、ブロック２３０５の動作は、図１６を参照して説明されたように、ＲＢロケーションモジュール１６１５によって実施され得る。
【０１５２】
[0166]  ブロック２３１０において、ＵＥ１１５は、図２乃至１３を参照して説明されたように、インジケーションに少なくとも部分的に基づいて狭帯域送信を受信するための１つまたは複数の同期化パラメータを識別し得る。特定の例では、ブロック２３１０の動作は、図１５を参照して説明されたように、同期化モジュール１５１０によって実施され得る。
【０１５３】
[0167]  図２４は、本開示のさまざまな態様にしたがって狭帯域ワイヤレス通信のためのダウンリンクおよび同期化技術のための方法２４００を例示するフローチャートを示す。方法２４００の動作は、図１乃至２１を参照して説明されたように、ＵＥ１１５またはそれのコンポーネントによってインプリメントされ得る。例えば、方法２４００の動作は、図１および１４乃至１７を参照して説明されたように、狭帯域通信モジュール１４０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法２４００はまた、図２２および２３の方法２２００および２３００の態様を組み込み得る。
【０１５４】
[0168]  ブロック２４０５において、ＵＥ１１５は、図２乃至１３を参照して説明されたように、デバイスディスカバリに関わるシステム情報を含むＰＢＣＨの送信のためのシステム帯域幅の狭帯域領域の周波数帯域を識別し得る。特定の例では、ブロック２４０５の動作は、図１６を参照して説明されたように、デバイスディスカバリモジュール１６２０によって実施され得る。
【０１５５】
[0169]  ブロック２４１０において、ＵＥ１１５は、図２乃至１３を参照して説明されたように、狭帯域領域の識別された周波数帯域に少なくとも部分的に基づいてＰＢＣＨを復号するための復号技術を選択し得る。特定の例では、ブロック２４１０の動作は、図１６を参照して説明されたように、復号技術モジュール１６２５によって実施され得る。
【０１５６】
[0170]  図２５は、本開示のさまざまな態様にしたがって狭帯域ワイヤレス通信のためのダウンリンクおよび同期化技術のための方法２５００を例示するフローチャートを示す。方法２５００の動作は、図１乃至２１を参照して説明されたように、ＵＥ１１５またはそれのコンポーネントによってインプリメントされ得る。例えば、方法２５００の動作は、図１および１４乃至１７を参照して説明されたように、狭帯域通信モジュール１４０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法２５００はまた、図２２乃至２４の方法２２００、２３００および２４００の態様を組み込み得る。
【０１５７】
[0171]  ブロック２５０５において、ＵＥ１１５は、図２乃至１３を参照して説明されたように、リソースブロックを送信するために使用されるシステム帯域幅の狭帯域領域内の複数のサブキャリアを識別し得る。特定の例では、ブロック２５０５の動作は、図１６を参照して説明されたように、サブキャリア識別モジュール１６３０によって実施され得る。
【０１５８】
[0172]  ブロック２５１０において、ＵＥ１１５は、図２乃至１３を参照して説明されたように、リソースブロックを送信するために使用される複数のサブキャリアの中心周波数サブキャリアを識別し得る。特定の例では、ブロック２５１０の動作は、図１６を参照して説明されたように、中心周波数識別モジュール１６３５によって実施され得る。
【０１５９】
[0173]  ブロック２５１５において、ＵＥ１１５は、図２乃至１３を参照して説明されたように、中心周波数サブキャリアの識別に少なくとも部分的に基づいて複数のサブキャリアのうちの１つまたは複数の他のサブキャリアを修正し得る。特定の例では、ブロック２５１５の動作は、図１６を参照して説明されたように、サブキャリア識別モジュール１６３０によって実施され得る。
【０１６０】
[0174]  図２６は、本開示のさまざまな態様にしたがって狭帯域ワイヤレス通信のためのダウンリンクおよび同期化技術のための方法２６００を例示するフローチャートを示す。方法２６００の動作は、図１乃至２１を参照して説明されたように基地局１０５またはそれのコンポーネントによってインプリメントされ得る。例えば、方法２６００の動作は、図１および１８乃至２１を参照して説明されたように、基地局狭帯域通信モジュール１４５によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。方法２６００はまた、図２２乃至２５の方法２２００、２３００、２４００および２５００の態様を組み込み得る。
【０１６１】
[0175]  ブロック２６０５において、基地局１０５は、デバイスディスカバリのための同期化信号を生成し得、図２乃至１３を参照して説明されたように、同期化信号は、シングルリソースブロック内の２つ以上のＯＦＤＭシンボルを備える。特定の例では、ブロック２６０５の動作は、図１９を参照して説明されたように、同期化信号生成モジュール１９０５によって実施され得る。
【０１６２】
[0176]  ブロック２６１０において、基地局１０５は、図２乃至１３を参照して説明されたように、狭帯域領域において同期化信号を送信し得る。特定の例では、ブロック２６１０の動作は、図１９を参照して説明されたように、狭帯域同期化信号モジュール１９１０によって実施され得る。
【０１６３】
[0177]  図２７は、本開示のさまざまな態様にしたがって狭帯域ワイヤレス通信のためのダウンリンクおよび同期化技術のための方法２７００を例示するフローチャートを示す。方法２７００の動作は、図１乃至２１を参照して説明されたように、基地局１０５またはそれのコンポーネントによってインプリメントされ得る。例えば、方法２７００の動作は、図１および１８乃至２１を参照して説明されたように、基地局狭帯域通信モジュール１４５によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。方法２７００はまた、図２２乃至２６の方法２２００、２３００、２４００、２５００および２６００の態様を組み込み得る。
【０１６４】
[0178]  ブロック２７０５において、基地局１０５は、図２乃至１３を参照して説明されたように、シングルリソースブロックがシステム帯域幅の広帯域領域内にある場合に、システム帯域幅の狭帯域領域のロケーション（location）を識別し得る。特定の例では、ブロック２７０５の動作は、図１９を参照して説明されたように、狭帯域領域ロケーションモジュール１９１５によって実施され得る。
【０１６５】
[0179]  ブロック２７１０において、基地局１０５は、図２乃至１３を参照して説明されたように、システム帯域幅の広帯域領域内のシングルリソースブロックの位置のインジケーションを送信し得る。特定の例では、ブロック２７１０の動作は、図２０に関連して上述されたように、狭帯域インジケーションモジュール２０２５によって実施され得る。
【０１６６】
[0180]  図２８は、本開示のさまざまな態様にしたがって狭帯域ワイヤレス通信のためのダウンリンクおよび同期化技術のための方法２８００を例示するフローチャートを示す。方法２８００の動作は、図１乃至２１を参照して説明されたように基地局１０５またはそれのコンポーネントによってインプリメントされ得る。例えば、方法２８００の動作は、図１および１８乃至２１を参照して説明されたように、基地局狭帯域通信モジュール１４５によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。方法２８００はまた、図２２乃至２７の方法２２００、２３００、２４００、２５００、２６００および２７００の態様を組み込み得る。
【０１６７】
[0181]  ブロック２８０５において、基地局１０５は、図２乃至１３を参照して説明されたように、狭帯域領域におけるデバイスディスカバリに関わるシステム情報の送信のためのＰＢＣＨ信号を生成し得る。特定の例では、ブロック２８０５の動作は、図１９を参照して説明されたように、ＰＢＣＨモジュール１９２０によって実施され得る。
【０１６８】
[0182]  ブロック２８１０において、基地局１０５は、図２乃至１３を参照して説明されたように、ＤＭＲＳに少なくとも部分的に基づいてＰＢＣＨ信号を変調し得る。特定の例では、ブロック２８１０の動作は、図１９を参照して説明されたように、ＰＢＣＨモジュール１９２０によって実施され得る。
【０１６９】
[0183]  ブロック２８１５において、基地局１０５は、図２乃至１３を参照して説明されたように、狭帯域領域において変調されたＰＢＣＨ信号を送信し得る。特定の例では、ブロック２８１５の動作は、図１９を参照して説明されたように、ＰＢＣＨモジュール１９２０によって実施され得る。
【０１７０】
[0184]  図２９は、本開示のさまざまな態様にしたがって狭帯域ワイヤレス通信のためのダウンリンクおよび同期化技術のための方法２９００を例示するフローチャートを示す。方法２９００の動作は、図１乃至２１を参照して説明されたように基地局１０５またはそれのコンポーネントによってインプリメントされ得る。例えば、方法２９００の動作は、図１および１８乃至２１を参照して説明されたように、基地局狭帯域通信モジュール１４５によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。方法２９００はまた、図２２乃至２８の方法２２００、２３００、２４００、２５００、２６００、２７００および２８００の態様を組み込み得る。
【０１７１】
[0185]  ブロック２９０５において、基地局１０５は、デバイスディスカバリに関わるシステム情報の送信のためのＰＢＣＨ信号を生成し得、ＰＢＣＨ信号は、図２乃至１３を参照して説明されたように、狭帯域領域において送信されるリソースブロックに含まれる。特定の例では、ブロック２９０５の動作は、図１９を参照して説明されたように、ＰＢＣＨモジュール１９２０によって実施され得る。
【０１７２】
[0186]  ブロック２９１０において、基地局１０５は、図２乃至１３を参照して説明されたように、ＭＢＳＦＮサブフレームとしてリソースブロックを含むサブフレームを識別し得る。特定の例では、ブロック２９１０の動作は、図２０を参照して説明されたように、ＭＢＳＦＮモジュール２０２０によって実施され得る。
【０１７３】
[0187]  ブロック２９１５において、基地局１０５は、図２乃至１３を参照して説明されたように、ＭＢＳＦＮサブフレームにおいてＰＢＣＨ信号を送信し得る。特定の例では、ブロック２９１５の動作は、図１９を参照して説明されたように、ＰＢＣＨモジュール１９２０によって実施され得る。
【０１７４】
[0188]  かくして、方法２２００、２３００、２４００、２５００、２６００、２７００、２８００、および２９００は、狭帯域ワイヤレス通信のためのダウンリンクおよび同期化技術を提供し得る。方法２２００、２３００、２４００、２５００、２６００、２７００、２８００、および２９００は、可能なインプリメンテーションを説明しており、動作およびステップは、他のインプリメンテーションが可能になるように、再配置またはそうでない場合は修正され得ることが留意されるべきである。いくつかの例では、方法２２００、２３００、２４００、２５００、２６００、２７００、２８００、および２９００のうちの２つ以上からの態様が組み合され得る。
【０１７５】
[0189]  本書における説明は、例を提供しており、特許請求の範囲に記載されている範囲、適用可能性、または例を限定してはいない。論述される要素の機能および配置の変更が、本開示の範囲から逸脱することなく、為され得る。さまざまな例は、適宜、さまざまなプロシージャまたはコンポーネントを省略、代用、あるいは追加し得る。また、いくつかの例に関して説明される特徴は、他の例において組み合され得る。
【０１７６】
[0190]  本書で説明される技術は、ＣＤＭＡ、ＴＤＭＡ、ＦＤＭＡ、ＯＦＤＭＡ、ＳＣ−ＦＤＭＡ、および他のシステムのようなさまざまなワイヤレス通信システムに対して使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形物を含む。ＴＤＭＡシステムは、ＧＳＭのような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、のような無線技術をインプリメントし得る。ＵＴＲＡおよびＥ-ＵＴＲＡは、ユニバーサルモバイル電気通信システム（ＵＭＴＳ）の一部である。３ＧＰＰ（登録商標） ＬＴＥおよびＬＴＥ−ａは、Ｅ−ＵＴＲＡを使用するユニバーサルモバイル電気通信システム（ＵＭＴＳ）の新リリースである。ＵＴＲＡ、Ｅ−ＵＴＲＡ、ユニバーサルモバイル電気通信システム（ＵＭＴＳ）、ＬＴＥ、ＬＴＥ−ａ、およびＧＳＭ）、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本書で説明されている技術は、上述されたシステムおよび無線技術ならびに他のシステムおよび無線技術に対して使用され得る。しかしながら、本書での説明は、実例を目的としてＬＴＥシステムを説明しており、ＬＴＥの専門用語が上記の説明の大部分中で使用されているが、本技術は、ＬＴＥアプリケーションを超えて適用可能である。
【０１７７】
[0191]  ＬＴＥ／ＬＴＥネットワークでは、本書で説明されるこのようなネットワークを含めて、発展型ノードＢ（ｅＮＢ）という用語は、概して、基地局を説明するために使用され得る。本書に説明されている１つまたは複数のワイヤレス通信システムは、異なるタイプのｅＮＢがさまざまな地理的領域にカバレッジを提供する異種ＬＴＥ／ＬＴＥ−ａネットワークを含み得る。例えば、各ｅＮＢまたは基地局は、マクロセル、スモールセル、または他のタイプのセルに通信カバレッジを提供し得る。「セル（cell）」という用語は、コンテキストに依存して、基地局、基地局に関連付けられたキャリアまたはコンポーネントキャリア、あるいはキャリアまたは基地局のカバレッジエリア（例えば、セクタなど）を説明するために使用されることができる３ＧＰＰの用語である。
【０１７８】
[0192]  基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の適した専門用語を含み得るか、当業者によってそれらで呼ばれ得る。基地局のための地理的カバレッジエリアは、カバレッジエリアの一部のみを構成するセクタに分割され得る。本書に説明される１つまたは複数のワイヤレス通信システムは、異なるタイプの基地局（例えば、マクロまたはスモールセルの基地局）を含み得る。本書に説明されるＵＥは、マクロｅＮＢ、スモールセルｅＮＢ、中継基地局などを含むさまざまなタイプの基地局およびネットワーク機器と通信することが可能であり得る。異なる技術に関しては重複している地理的カバレッジエリアが存在し得る。
【０１７９】
[0193]  マクロセルは概して、比較的大きい地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、ライセンス、アンライセンスなどの）周波数帯域で動作し得る低電力基地局である。スモールセルは、さまざまな例にしたがったピコセル、フェムトセル、およびマイクロセルを含み得る。例えば、ピコセルは、小さい地理的エリアをカバーし得、ネットワークプロバイダにサービス加入しているＵＥによる無制限アクセスを可能にし得る。フェムトセルは、さらに、または代替として、小さい地理的エリア（例えば、家（home））をカバーし得、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。ＵＥは、マクロｅＮＢ、スモールセルｅＮＢ、中継基地局などを含むさまざまなタイプの基地局およびネットワーク機器と通信することが可能であり得る。
【０１８０】
[0194]  本書に説明される１つまたは複数のワイヤレス通信システムは、同期または非同期動作をサポートし得る。同期動作の場合、基地局は、同様のフレームタイミングを有し得、異なる基地局からの送信は、時間的にほぼアラインされ得る（approximately aligned in time）。非同期動作の場合、基地局は、異なるフレームタイミングを有し得、異なる基地局からの送信は、時間的にアラインされないことがあり得る。本書で説明される技術は、同期または非同期動作のいずれかに対して使用され得る。ダウンリンク送信は、順方向リンク送信とも呼ばれ得、一方でアップリンク送信は、逆方向リンク送信とも呼ばれ得る。例えば図１および２のワイヤレス通信システム１００および２００を含む、本書に説明されている各通信リンクは、１つまたは複数のキャリアを含み得、各キャリアは、複数のサブキャリア（例えば、異なる周波数の波形信号）から構成される信号であり得る。変調された各信号は、異なるサブキャリア上で送られ得、制御情報（例えば、基準信号、制御チャネルなど）、オーバーヘッド情報、ユーザデータなどを搬送し得る。本書に説明される通信リンク（例えば、図１の通信リンク１２５）は、（例えば、ペアのスペクトルリソースを使用する）周波数分割複信（ＦＤＤ）、または（例えば、ペアではないスペクトルリソースを使用する）ＴＤＤ動作、を使用して双方向通信を送信し得る。周波数分割複信（ＦＤＤ）に関するフレーム構造（例えば、フレーム構造タイプ１）およびＴＤＤに関するフレーム構造（例えば、フレーム構造タイプ２）が定義され得る。
【０１８１】
[0196]  添付された図面に関連して本書に記載された説明は、例としての構成を説明しており、インプリメントされ得るまたは特許請求の範囲の範囲内にある全ての例を表してはいない。本書で使用される「典型的な（exemplary）」という用語は、「好ましい」または「他の例よりも有利である」ということではなく、「例、事例、または例示としての役割をすること」を意味する。詳細な説明は、説明された技術の理解を提供する目的で具体的な詳細を含む。しかしながら、これらの技術は、これらの具体的な詳細なしに実現され得る。いくつかの事例では、周知の構造およびデバイスは、説明されている例のコンセプトを暖味にすることを回避するためにブロック図の形態で図示されている。
【０１８２】
[0197]  添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本書において第１の参照ラベルのみが使用される場合、第２の参照ラベルに関係なく同じ第１の参照ラベルを有する同様のコンポーネントのいずれか１つに、説明が適用可能である。
【０１８３】
[0198]  本書に説明される情報および信号は、多様な異なる技術および技法のうちの任意のものを使用して表わされ得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１８４】
[0199]  本書での開示に関連して説明されたさまざまな例示的なブロックおよびモジュールは、汎用プロセッサ、ＤＳＰ、ＡＳＩＣ、ＦＰＧＡまたは他のプログラマブル論理デバイス、離散ゲートまたはトランジスタ論理、離散ハードウェアコンポーネント、あるいは本書で説明された機能を実施するように設計されたそれらの任意の組み合わせを用いてインプリメントまたは実施され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、（例えば、デジタルシグナルプロセッサ（ＤＳＰ）とマイクロプロセッサの組み合わせ、複数のマイクロプロセッサ、ＤＳＰコアに連結した１つまたは複数のマイクロプロセッサ、または他の任意のそのような構成といった、）コンピューティングデバイスの組み合わせとしてインプリメントされ得る。
【０１８５】
[0200]  本書で説明された機能は、ハードウェア、プロセッサによって実行されるソフトウェア、ファームウェア、またはそれらの任意の組み合わせ中でインプリメントされ得る。プロセッサによって実行されるソフトウェア中でインプリメントされる場合、機能は、コンピュータ可読媒体で、１つまたは複数の命令またはコードとして記憶または送信され得る。他の例およびインプリメンテーションは、本開示および特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、さまざまな位置において物理的に配置され得、それは、機能の一部が異なる物理的な位置においてインプリメントされるように分配されることを含む。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１８６】
[0201]  コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、もしくは汎用または特殊用途プロセッサによってアクセスされることができる、任意の他の非一時的な媒体を備えることができる。また、任意の接続が、コンピュータ可読媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。本書に使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。上記の組み合わせもまた、コンピュータ可読媒体の範囲内に含まれる。
【０１８７】
[0202]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
【図１】
2018532298.tif 000003
【図２】
2018532298.tif 000004
【図３】
2018532298.tif 000005
【図４】
2018532298.tif 000006
【図５】
2018532298.tif 000007
【図６】
2018532298.tif 000008
【図７】
2018532298.tif 000009
【図８Ａ】
2018532298.tif 000010
【図８Ｂ】
2018532298.tif 000011
【図８Ｃ】
2018532298.tif 000012
【図９】
2018532298.tif 000013
【図１０】
2018532298.tif 000014
【図１１】
2018532298.tif 000015
【図１２】
2018532298.tif 000016
【図１３】
2018532298.tif 000017
【図１４】
2018532298.tif 000018
【図１５】
2018532298.tif 000019
【図１６】
2018532298.tif 000020
【図１７】
2018532298.tif 000021
【図１８】
2018532298.tif 000022
【図１９】
2018532298.tif 000023
【図２０】
2018532298.tif 000024
【図２１】
2018532298.tif 000025
【図２２】
2018532298.tif 000026
【図２３】
2018532298.tif 000027
【図２４】
2018532298.tif 000028
【図２５】
2018532298.tif 000029
【図２６】
2018532298.tif 000030
【図２７】
2018532298.tif 000031
【図２８】
2018532298.tif 000032
【図２９】
2018532298.tif 000033
【国際調査報告】
2018532298.tif 000034
2018532298.tif 000035
2018532298.tif 000036
2018532298.tif 000037
2018532298.tif 000038
2018532298.tif 000039
2018532298.tif 000040
2018532298.tif 000041